(57)【要約】  本発明の実施形態はアンライセンス周波数バンドにおける通信方法を提供する。方法は、端末デバイスが、ネットワーク・デバイスにより送信されたダウンリンク制御情報を受信するステップであって、ダウンリンク制御情報は候補タイム・ユニット・セット内の第1タイム・ユニットの中にあり、候補タイム・ユニット・セットは複数の連続的なタイム・ユニットのうちの少なくとも1つであり、及び候補タイム・ユニット・セットは複数の連続的なタイム・ユニット内で等間隔である、ステップ；端末デバイスが、ダウンリンク制御情報が送信される時間に基づいて、アップリンク情報を送信するためのタイム・ウィンドウを決定するステップ；及び端末デバイスが、タイム・ウィンドウの中でアップリンク情報を送信するステップを有し、タイム・ウィンドウの開始時点T1は第1タイム・ユニット又は第2タイム・ユニットの中にあり、及び第2タイム・ユニットは第1タイム・ユニットの次のタイム・ユニットである。方法は、適切なリソース設定方法を提供し、アンライセンス周波数バンドでデータを送信する効率を改善する。
2019523587.tif 000002
【特許請求の範囲】
【請求項１】
アンライセンス周波数バンドにおける通信方法であって：
端末デバイスが、ネットワーク・デバイスにより送信されたダウンリンク制御情報を受信するステップであって、前記ダウンリンク制御情報は候補タイム・ユニット・セット内の第1タイム・ユニットの中にあり、前記候補タイム・ユニット・セットは複数の連続的なタイム・ユニットのうちの少なくとも1つであり、及び前記候補タイム・ユニット・セットは前記複数の連続的なタイム・ユニット内で等間隔である、ステップ；
前記端末デバイスが、前記ダウンリンク制御情報が送信される時間に基づいて、アップリンク情報を送信するためのタイム・ウィンドウを決定するステップ；及び
前記端末デバイスが、前記タイム・ウィンドウの中で前記アップリンク情報を送信するステップ；
を有し、前記タイム・ウィンドウの開始時点T1は前記第1タイム・ユニット又は第2タイム・ユニットの中にあり、及び前記第2タイム・ユニットは前記第1タイム・ユニットの次のタイム・ユニットである、方法。
【請求項２】
前記ダウンリンク制御情報の終了時点がT2であり、前記方法は、更に：
前記端末デバイスが、T1及びT2の間の時間間隔の中でダウンリンク・ユーザー・データを受信することをスキップするステップ；
を有する請求項1に記載の方法。
【請求項３】
前記タイム・ウィンドウの前記開始時点T1が前記第2タイム・ユニットの開始時点である；或いは
前記ダウンリンク制御情報の前記終了時点T2が前記第1タイム・ユニットの中のn番目のOFDMシンボルであり、及び前記タイム・ウィンドウの前記開始時点T1が前記第1タイム・ユニットの中の(n+2)番目のOFDMシンボルである、請求項1又は2に記載の方法。
【請求項４】
前記ダウンリンク制御情報の終了時点がT2であり；及び
T1及びT2の間の時間間隔Tが受信/送信の遷移時間である、請求項1に記載の方法。
【請求項５】
前記端末デバイスが、前記タイム・ウィンドウの中で前記アップリンク情報を送信する前記ステップが：
クリア・チャネル・アセスメントCCAを実行するステップ；及び
前記CCAアセスメントが成功した後に、前記アップリンク情報を送信するステップ；
を有する、請求項1ないし4のうちの何れか一項に記載の方法。
【請求項６】
前記ダウンリンク制御情報は、ディスカバリ・リファレンス信号DRS及び/又は共通制御情報を有する、請求項1ないし5のうちの何れか一項に記載の方法。
【請求項７】
前記アップリンク情報は：
ランダム・アクセス・プロセスにおけるアップリンク情報、
アップリンク送信スケジューリング・リクエストSR、
サウンディング・リファレンス信号SRS、及び
周期的なチャネル状態情報P-CSI
のうちの1つ以上を有する、請求項1ないし6のうちの何れか一項に記載の方法。
【請求項８】
前記端末デバイスが指示情報を受信するステップであって、前記指示情報は、前記タイム・ウィンドウが存在するか否かを前記端末デバイスに指示する、或いは前記端末デバイスは前記タイム・ウィンドウの中で前記アップリンク情報を送信することを許可されているか否かを指示するために使用される、ステップを更に有する請求項1ないし7のうちの何れか一項に記載の方法。
【請求項９】
前記ネットワーク・デバイスにより送信されるダウンリンク・ユーザー・データが前記第1タイム・ユニットに存在する場合、前記指示情報は、前記タイム・ウィンドウは存在しないこと、或いは前記アップリンク情報は前記タイム・ウィンドウの中で送信されることを許可されていないことを指示する、請求項8に記載の方法。
【請求項１０】
前記タイム・ユニットはサブフレームである、請求項1ないし9のうちの何れか一項に記載の方法。
【請求項１１】
アンライセンス周波数バンドにおける通信方法であって：
ネットワーク・デバイスが、第1タイム・ユニットの中でダウンリンク制御情報を送信するステップであって、前記第1タイム・ユニットは候補タイム・ユニット・セットにおいて構成され、前記候補タイム・ユニット・セットは複数の連続的なタイム・ユニットのうちの少なくとも1つであり、及び前記候補タイム・ユニット・セットは前記複数の連続的なタイム・ユニット内で等間隔である、ステップ；及び
前記ネットワーク・デバイスが、前記ダウンリンク制御情報が送信される時間に基づいて、アップリンク情報を受信するステップであって、前記アップリンク情報はタイム・ウィンドウの中にある、ステップ；
を有し、前記タイム・ウィンドウの開始時点T1は前記第1タイム・ユニット又は第2タイム・ユニットの中にあり、及び前記第2タイム・ユニットは前記第1タイム・ユニットの次のタイム・ユニットである、方法。
【請求項１２】
前記ダウンリンク制御情報の終了時点がT2であり、前記方法は、更に：
前記ネットワーク・デバイスが、T1及びT2の間の時間間隔の中でダウンリンク・ユーザー・データを送信することをスキップするステップ；
を有する請求項11に記載の方法。
【請求項１３】
前記タイム・ウィンドウの前記開始時点T1が前記第2タイム・ユニットの開始時点である；或いは
前記ダウンリンク制御情報の前記終了時点T2が前記第1タイム・ユニットの中のn番目のOFDMシンボルであり、前記タイム・ウィンドウの前記開始時点T1が前記第1タイム・ユニットの中の(n+2)番目のOFDMシンボルである、請求項11又は12に記載の方法。
【請求項１４】
前記ダウンリンク制御情報の終了時点がT2であり；及び
T1及びT2の間の時間間隔Tが受信/送信の遷移時間である、請求項11に記載の方法。
【請求項１５】
前記ダウンリンク制御情報は、ディスカバリ・リファレンス信号DRS及び/又は共通制御情報を有する、請求項11ないし14のうちの何れか一項に記載の方法。
【請求項１６】
前記アップリンク情報は、ランダム・アクセス・プロセスにおけるアップリンク情報、サウンディング・リファレンス信号SRS、アップリンク送信スケジューリング・リクエストSR、及び周期的なチャネル状態情報P-CSIのうちの1つ以上を有する、請求項11ないし15のうちの何れか一項に記載の方法。
【請求項１７】
前記ネットワーク・デバイスが指示情報を送信するステップであって、前記指示情報は、前記タイム・ウィンドウが存在するか否かを端末デバイスに指示する、或いは前記端末デバイスは前記タイム・ウィンドウの中で前記アップリンク情報を送信することを許可されているか否かを指示するために使用される、ステップを有する請求項11ないし16のうちの何れか一項に記載の方法。
【請求項１８】
前記ネットワーク・デバイスが指示情報を送信する前記ステップは：
前記ネットワーク・デバイスが、前記第1タイム・ユニットの中でダウンリンク・ユーザー・データを送信する場合、前記指示情報は、前記タイム・ウィンドウは存在しないこと、或いは前記端末デバイスは前記タイム・ウィンドウの中で前記アップリンク情報を送信することを許可されていないことを前記端末デバイスに指示することを含む、請求項17に記載の方法。
【請求項１９】
前記タイム・ユニットはサブフレームである、請求項11ないし18のうちの何れか一項に記載の方法。
【請求項２０】
端末デバイスであって：
ネットワーク・デバイスにより送信されたダウンリンク制御情報を受信するように構成される受信ユニットであって、前記ダウンリンク制御情報は候補タイム・ユニット・セット内の第1タイム・ユニットの中にあり、前記候補タイム・ユニット・セットは複数の連続的なタイム・ユニットのうちの少なくとも1つであり、及び前記候補タイム・ユニット・セットは前記複数の連続的なタイム・ユニット内で等間隔である、受信ユニット；
前記ダウンリンク制御情報が送信される時間に基づいて、アップリンク情報を送信するためのタイム・ウィンドウを決定するように構成される処理ユニット；及び
前記タイム・ウィンドウの中で前記アップリンク情報を送信するように構成される送信ユニット；
を有し、前記タイム・ウィンドウの開始時点T1は前記第1タイム・ユニット又は第2タイム・ユニットの中にあり、及び前記第2タイム・ユニットは前記第1タイム・ユニットの次のタイム・ユニットである、端末デバイス。
【請求項２１】
前記ダウンリンク制御情報の終了時点がT2であり；及び
前記受信ユニットは、T1及びT2の間の時間間隔の中でダウンリンク・ユーザー・データを受信することをスキップする、請求項20に記載の端末デバイス。
【請求項２２】
前記タイム・ウィンドウの前記開始時点T1が前記第2タイム・ユニットの開始時点である；或いは
前記ダウンリンク制御情報の前記終了時点T2が前記第1タイム・ユニットの中のn番目のOFDMシンボルであり、及び前記タイム・ウィンドウの前記開始時点T1が前記第1タイム・ユニットの中の(n+2)番目のOFDMシンボルである、請求項20又は21に記載の端末デバイス。
【請求項２３】
前記ダウンリンク制御情報の終了時点がT2であり；及び
T1及びT2の間の時間間隔Tが受信/送信の遷移時間である、請求項20に記載の端末デバイス。
【請求項２４】
前記送信ユニットが、前記タイム・ウィンドウの中で前記アップリンク情報を送信する前記ステップが：
クリア・チャネル・アセスメントCCAを実行するステップ；及び
前記CCAアセスメントが成功した後に、前記アップリンク情報を送信するステップ；
を有する、請求項20ないし23のうちの何れか一項に記載の端末デバイス。
【請求項２５】
前記ダウンリンク制御情報は、ディスカバリ・リファレンス信号DRS及び/又は共通制御情報を有する、請求項20ないし24のうちの何れか一項に記載の端末デバイス。
【請求項２６】
前記アップリンク情報は、ランダム・アクセス・プロセスにおけるアップリンク情報、アップリンク送信スケジューリング・リクエストSR、サウンディング・リファレンス信号SRS、及び周期的なチャネル状態情報P-CSIのうちの1つ以上を有する、請求項20ないし25のうちの何れか一項に記載の端末デバイス。
【請求項２７】
前記受信ユニットが指示情報を更に受信し、前記指示情報は、前記タイム・ウィンドウが存在するか否かを前記端末デバイスに指示する、或いは前記端末デバイスは前記タイム・ウィンドウの中で前記アップリンク情報を送信することを許可されているか否かを指示するために使用される、請求項20ないし26のうちの何れか一項に記載の端末デバイス。
【請求項２８】
前記ネットワーク・デバイスにより送信されるダウンリンク・ユーザー・データが前記第1タイム・ユニットに存在する場合、前記指示情報は、前記タイム・ウィンドウは存在しないこと、或いは前記アップリンク情報は前記タイム・ウィンドウの中で送信されることを許可されていないことを指示する、請求項27に記載の端末デバイス。
【請求項２９】
前記タイム・ユニットはサブフレームである、請求項20ないし28のうちの何れか一項に記載の端末デバイス。
【請求項３０】
ネットワーク・デバイスであって：
第1タイム・ユニットの中でダウンリンク制御情報を送信するように構成される送信ユニットであって、前記第1タイム・ユニットは候補タイム・ユニット・セットにおいて構成され、前記候補タイム・ユニット・セットは複数の連続的なタイム・ユニットのうちの少なくとも1つであり、及び前記候補タイム・ユニット・セットは前記複数の連続的なタイム・ユニット内で等間隔である、送信ユニット；及び
前記ダウンリンク制御情報が送信される時間に基づいて、アップリンク情報を受信するように構成される受信ユニットであって、前記アップリンク情報はタイム・ウィンドウの中にある、受信ユニット；
を有し、前記タイム・ウィンドウの開始時点T1は前記第1タイム・ユニット又は第2タイム・ユニットの中にあり、及び前記第2タイム・ユニットは前記第1タイム・ユニットの次のタイム・ユニットである、ネットワーク・デバイス。
【請求項３１】
前記ダウンリンク制御情報の終了時点がT2であり；及び
前記送信ユニットは、T1及びT2の間の時間間隔の中でダウンリンク・ユーザー・データを送信することをスキップする、請求項30に記載のネットワーク・デバイス。
【請求項３２】
前記タイム・ウィンドウの前記開始時点T1が前記第2タイム・ユニットの開始時点である；或いは
前記ダウンリンク制御情報の前記終了時点T2が前記第1タイム・ユニットの中のn番目のOFDMシンボルであり、前記タイム・ウィンドウの前記開始時点T1が前記第1タイム・ユニットの中の(n+2)番目のOFDMシンボルである、請求項30又は31に記載のネットワーク・デバイス。
【請求項３３】
前記ダウンリンク制御情報の終了時点がT2であり；及び
T1及びT2の間の時間間隔Tが受信/送信の遷移時間である、請求項30に記載のネットワーク・デバイス。
【請求項３４】
前記ダウンリンク制御情報は、ディスカバリ・リファレンス信号DRS及び/又は共通制御情報を有する、請求項30ないし33のうちの何れか一項に記載のネットワーク・デバイス。
【請求項３５】
前記アップリンク情報は、ランダム・アクセス・プロセスにおけるアップリンク情報、サウンディング・リファレンス信号SRS、アップリンク送信スケジューリング・リクエストSR、及び周期的なチャネル状態情報P-CSIのうちの1つ以上を有する、請求項30ないし34のうちの何れか一項に記載のネットワーク・デバイス。
【請求項３６】
前記送信ユニットは指示情報を送信するように更に構成され、前記指示情報は、前記タイム・ウィンドウが存在するか否かを端末デバイスに指示する、或いは前記端末デバイスは前記タイム・ウィンドウの中で前記アップリンク情報を送信することを許可されているか否かを指示するために使用される、請求項30ないし35のうちの何れか一項に記載のネットワーク・デバイス。
【請求項３７】
前記送信ユニットが、前記第1タイム・ユニットの中でダウンリンク・ユーザー・データを送信する場合、前記指示情報は、前記タイム・ウィンドウは存在しないこと、或いは前記端末デバイスは前記タイム・ウィンドウの中で前記アップリンク情報を送信することを許可されていないことを前記端末デバイスに指示する、請求項36に記載のネットワーク・デバイス。
【請求項３８】
前記タイム・ユニットはサブフレームである、請求項30ないし37のうちの何れか一項に記載のネットワーク・デバイス。
【発明の詳細な説明】
【技術分野】
【０００１】
本発明はワイヤレス通信の分野に関連し、特にアンライセンス周波数バンドのリソース割当方法、端末デバイス、及びネットワーク側デバイスに関連する。
【背景技術】
【０００２】
現在、ライセンス周波数バンド・リソースは限られている。キャパシティを更に増やすため、オペレータは、アンライセンス周波数バンドを利用することによりユーザー装置にデータ・サービスを提供し得る。ワイヤレス・フィデリティ(Wireless  Fidelity：Wi-Fi)はアンライセンス周波数バンドで使用される主要な技術であるが、Wi-Fi技術を使用するワイヤレス・ローカル・ネットワーク(Wireless  Local  Network：WLAN)アクセス・ポイント(Access  Point：AP)は、モビリティ、セキュリティ、サービス品質(Quality  of  Service：QoS)、及びマルチユーザー・スケジューリング処理に関して欠点を有する。アンライセンス周波数バンドにロング・ターム・エボリューション(Long  Term  Evolution：LTE)技術を適用することは、アンライセンス周波数バンド・リソースを効果的に利用できるだけでなく、より好ましいワイヤレス・アクセスをも提供し、これにより増加するモバイル・ブロードバンド・サービス条件を満たす。
【０００３】
LTEシステムでは、アンライセンス周波数バンド・リソースにおけるデータ送信又は受信は、キャリア・アグリゲーション(Carrier  Aggregation：CA)に基づくライセンス・アシスト・アクセスLAA-LTE(Licensed-Assisted  Access  Using  LTE)を使用することにより実現されてもよい。現在、LAA-LTEに使用されるように想定されるアンライセンス周波数バンドは、州政府によって許可される5GHzのアンライセンス周波数バンドである。ワイヤレス通信システムが通信のためにアンライセンス周波数バンドを占める場合、リッスン・ビフォー・トーク(Listen  Before  Talk：LBT)ルールが使用される必要がある。通常、アンライセンス周波数バンドを使用することでデータを送信する前に、(基地局及び/又は端末デバイスのようなネットワーク・デバイスを含む)通信デバイスは先ずリスニングを実行する必要がある。従って、アンライセンス周波数バンド・リソースで通信デバイスにより実行されるデータ送信又は受信は偶発的である。
【０００４】
アンライセンス周波数バンド・リソースで動作する場合に、ネットワーク・デバイスは先ずクリア・チャネル・アセスメントを実行する必要がある。クリア・チャネル・アセスメントが成功すると、ネットワーク・デバイスは、アンライセンス周波数バンドにおけるタイム・リソース・セグメントを取得し、特定のリソース設定方法に従って(例えば、事前に設定されたフレーム構造に従って)データを送信し始める。しかしながら、アップリンク情報のために予約される送信チャネルが、アンライセンス周波数バンド上で間隔を置いて設定されている。アップリンク情報のために予約されるタイム・レンジが、ネットワーク・デバイスがダウンリンク・ユーザー・データを送信するタイム・レンジとオーバーラップする場合、アップリンク情報送信のためのアンライセンス周波数バンド・リソースを予約するために、ダウンリンク・ユーザー・データの送信は中断される。その結果、ネットワーク・デバイスのダウンリンク・ユーザー・データの送信は失敗し、アンライセンス周波数バンドでデータを送信する効率は減少する。
【０００５】
従って、アンライセンス周波数バンド・リソースにおいてデータを送信する効率を改善するように、アンライセンス周波数バンドにおける通信技術が提供される必要がある。
【発明の概要】
【０００６】
本発明の実施形態は、アンライセンス周波数バンド・リソースを適切に設定し、アンライセンス周波数バンドでデータを送信する効率を改善するように、アンライセンス周波数バンドにおける通信技術を提供する。
【０００７】
以下の技術的解決手段は、上記の目的を達成するように本発明の実施形態で使用される。
【０００８】
第1側面によれば、アンライセンス周波数バンドにおける通信方法が提供され：
端末デバイスが、ネットワーク・デバイスにより送信されたダウンリンク制御情報を受信するステップであって、ダウンリンク制御情報は候補タイム・ユニット・セット内の第1タイム・ユニットの中にあり、候補タイム・ユニット・セットは複数の連続的なタイム・ユニットのうちの少なくとも1つであり、及び候補タイム・ユニット・セットは前記複数の連続的なタイム・ユニット内で等間隔である、ステップ；
端末デバイスが、ダウンリンク制御情報が送信される時間に基づいて、アップリンク情報を送信するためのタイム・ウィンドウを決定するステップ；及び
端末デバイスが、タイム・ウィンドウの中でアップリンク情報を送信するステップ；
を有し、タイム・ウィンドウの開始時点T1は第1タイム・ユニット又は第2タイム・ユニットの中にあり、及び第2タイム・ユニットは第1タイム・ユニットの次のタイム・ユニットである。
【０００９】
可能な設計において、ダウンリンク制御情報の終了時点がT2であり、端末デバイスは、T1及びT2の間の時間間隔の中でダウンリンク・ユーザー・データを受信することをスキップする。
【００１０】
可能な設計において、端末デバイスが、タイム・ウィンドウの中でアップリンク情報を送信するステップは：クリア・チャネル・アセスメントCCAを実行するステップ；及びCCAアセスメントが成功した後に、アップリンク情報を送信するステップを含む。
【００１１】
可能な設計において、端末デバイスは指示情報を受信し、指示情報は、タイム・ウィンドウが存在するか否かを端末デバイスに指示する、或いは端末デバイスはタイム・ウィンドウの中でアップリンク情報を送信することを許可されているか否かを指示するために使用される。
【００１２】
可能な設計において、ネットワーク・デバイスにより送信されるダウンリンク・ユーザー・データが第1タイム・ユニットに存在する場合、指示情報は、タイム・ウィンドウは存在しないこと、或いはアップリンク情報はタイム・ウィンドウの中で送信されることを許可されていないことを指示する。
【００１３】
第2側面によれば、アンライセンス周波数バンドにおける通信方法が提供され：
ネットワーク・デバイスが、第1タイム・ユニットの中でダウンリンク制御情報を送信するステップであって、第1タイム・ユニットは候補タイム・ユニット・セットに含まれ、候補タイム・ユニット・セットは複数の連続的なタイム・ユニットのうちの少なくとも1つであり、及び候補タイム・ユニット・セットは複数の連続的なタイム・ユニット内で等間隔である、ステップ；及び
ネットワーク・デバイスが、ダウンリンク制御情報が送信される時間に基づいて、アップリンク情報を受信するステップであって、アップリンク情報はタイム・ウィンドウの中にある、ステップ；
を有し、タイム・ウィンドウの開始時点T1は第1タイム・ユニット又は第2タイム・ユニットの中にあり、及び第2タイム・ユニットは第1タイム・ユニットの次のタイム・ユニットである。
【００１４】
可能な設計において、ダウンリンク制御情報の終了時点がT2であり、及びネットワーク・デバイスが、T1及びT2の間の時間間隔の中でダウンリンク・ユーザー・データを送信することをスキップする。
【００１５】
可能な設計において、ネットワーク・デバイスは指示情報を送信し、指示情報は、タイム・ウィンドウが存在するか否かを端末デバイスに指示する、或いは端末デバイスはタイム・ウィンドウの中でアップリンク情報を送信することを許可されているか否かを指示するために使用される。
【００１６】
可能な設計において、ネットワーク・デバイスが、第1タイム・ユニットの中でダウンリンク・ユーザー・データを送信する場合、指示情報は、タイム・ウィンドウは存在しないこと、或いは端末デバイスはタイム・ウィンドウの中でアップリンク情報を送信することを許可されていないことを端末デバイスに指示する。
【００１７】
第3側面によれば、端末デバイスが提供され：
ネットワーク・デバイスにより送信されたダウンリンク制御情報を受信するように構成される受信ユニットであって、ダウンリンク制御情報は候補タイム・ユニット・セット内の第1タイム・ユニットの中にあり、候補タイム・ユニット・セットは複数の連続的なタイム・ユニットのうちの少なくとも1つであり、及び候補タイム・ユニット・セットは複数の連続的なタイム・ユニット内で等間隔である、受信ユニット；
ダウンリンク制御情報が送信される時間に基づいて、アップリンク情報を送信するためのタイム・ウィンドウを決定するように構成される処理ユニット；及び
タイム・ウィンドウの中でアップリンク情報を送信するように構成される送信ユニット；
を含み、タイム・ウィンドウの開始時点T1は第1タイム・ユニット又は第2タイム・ユニットの中にあり、及び第2タイム・ユニットは第1タイム・ユニットの次のタイム・ユニットである。
【００１８】
可能な設計において、ダウンリンク制御情報の終了時点がT2であり、受信ユニットは、T1及びT2の間の時間間隔の中でダウンリンク・ユーザー・データを受信することをスキップする。
【００１９】
可能な設計において、送信ユニットが、タイム・ウィンドウの中でアップリンク情報を送信するステップが：クリア・チャネル・アセスメントCCAを実行するステップ；及びCCAアセスメントが成功した後に、アップリンク情報を送信するステップを含む。
【００２０】
可能な設計において、受信ユニットが指示情報を更に受信し、指示情報は、タイム・ウィンドウが存在するか否かを端末デバイスに指示する、或いは端末デバイスはタイム・ウィンドウの中でアップリンク情報を送信することを許可されているか否かを指示するために使用される。
【００２１】
可能な設計において、ネットワーク・デバイスにより送信されるダウンリンク・ユーザー・データが第1タイム・ユニットに存在する場合、指示情報は、タイム・ウィンドウは存在しないこと、或いはアップリンク情報はタイム・ウィンドウの中で送信されることを許可されていないことを指示する。
【００２２】
可能な設計において、この側面の端末デバイスの機能ユニットは、対応するハードウェアを利用することにより実現されてもよいし、或いは対応するソフトウェアを実行する対応するハードウェアにより実現されてもよい。
【００２３】
第4側面によれば、ネットワーク・デバイスが提供され：
第1タイム・ユニットの中でダウンリンク制御情報を送信するように構成される送信ユニットであって、第1タイム・ユニットは候補タイム・ユニット・セットに含まれ、候補タイム・ユニット・セットは複数の連続的なタイム・ユニットのうちの少なくとも1つであり、及び候補タイム・ユニット・セットは複数の連続的なタイム・ユニット内で等間隔である、送信ユニット；及び
ダウンリンク制御情報が送信される時間に基づいて、アップリンク情報を受信するように構成される受信ユニットであって、アップリンク情報はタイム・ウィンドウの中にある、受信ユニット；
を有し、タイム・ウィンドウの開始時点T1は第1タイム・ユニット又は第2タイム・ユニットの中にあり、及び第2タイム・ユニットは第1タイム・ユニットの次のタイム・ユニットである。
【００２４】
可能な設計において、ダウンリンク制御情報の終了時点がT2であり、送信ユニットは、T1及びT2の間の時間間隔の中でダウンリンク・ユーザー・データを送信することをスキップする。
【００２５】
可能な設計において、送信ユニットは指示情報を送信するように更に構成され、指示情報は、前記タイム・ウィンドウが存在するか否かを端末デバイスに指示する、或いは端末デバイスはタイム・ウィンドウの中でアップリンク情報を送信することを許可されているか否かを指示するために使用される。
【００２６】
可能な設計において、送信ユニットが、第1タイム・ユニットの中でダウンリンク・ユーザー・データを送信する場合、指示情報は、タイム・ウィンドウは存在しないこと、或いは端末デバイスはタイム・ウィンドウの中でアップリンク情報を送信することを許可されていないことを端末デバイスに指示する。
【００２７】
可能な設計において、この側面の端末デバイスの機能ユニットは、対応するハードウェアを利用することにより実現されてもよいし、或いは対応するソフトウェアを実行する対応するハードウェアにより実現されてもよい。
【００２８】
上記の側面を考慮して、本発明の実施形態は以下の可能な設計を更に含んでもよい。
【００２９】
可能な設計において、タイム・ウィンドウの開始時点T1は第2タイム・ユニットの開始時点である；或いはダウンリンク制御情報の終了時点T2が第1タイム・ユニットの中のn番目のOFDMシンボルであり、及びタイム・ウィンドウの開始時点T1が第1タイム・ユニットの中の(n+2)番目のOFDMシンボルである。例えば、T2は第1タイム・ユニットの中のn番目のOFDMシンボルの終了時点であり、及びT1が第1タイム・ユニットの中の(n+2)番目のOFDMシンボルの開始時点である。
【００３０】
可能な設計において、ダウンリンク制御情報の終了時点がT2であり、T1及びT2の間の時間間隔が受信/送信の遷移時間である。
【００３１】
可能な設計において、ダウンリンク制御情報は、ディスカバリ・リファレンス信号DRS及び/又は共通制御情報を含む。
【００３２】
可能な設計において、アップリンク情報は、ランダム・アクセス・プロセスにおけるアップリンク情報、アップリンク送信スケジューリング・リクエストSR、サウンディング・リファレンス信号SRS、及び周期的なチャネル状態情報P-CSIのうちの1つ以上を含む。
【００３３】
可能な設計において、タイム・ユニットはサブフレームである。
【００３４】
可能な設計において、候補タイム・ユニット・セットは1つ以上のタイム・ユニットを含んでよい。
【００３５】
本発明の実施形態において提供される解決手段によれば、端末デバイスがダウンリンク制御情報を受信することを止める時点とアップリンク情報を送信するためのタイム・ウィンドウの開始時点との間の時間間隔は削減されることを上記から知ることが可能である。そのような方法において、アンライセンス周波数バンドにおけるダウンリンク・ユーザー・データの送信に及ぶ影響は削減され、アンライセンス周波数バンドでデータを送信する効率が改善される。
【図面の簡単な説明】
【００３６】
本発明の実施形態における技術的解決手段をより明確に説明するために、以下、実施形態を説明するために必要とされる添付図面を簡単に説明する。明らかに、以下の説明における添付図面は、本発明のいくつかの実施形態を示すに過ぎず、当業者は創作的労力によらずこれらの添付図面から他の図面を更に導出し得る。
【００３７】
【図１】図1は本発明の実施形態によるアンライセンス周波数バンドにおける通信のアプリケーション状況の概略図である。
【００３８】
【図２】図2は従来のアンライセンス周波数バンドにおけるリソース割当の概略図である。
【００３９】
【図３】図3は本発明の実施形態によるアンライセンス周波数バンドにおける通信方法の概略的なフローチャートである。
【００４０】
【図４】図4は本発明の実施形態によるDRS信号の概略的な構造図である。
【００４１】
【図５−１】図5-1は本発明の実施形態によるアンライセンス周波数バンドにおけるリソース割当の可能な概略図である。
【００４２】
【図５−２】図5-2は本発明の実施形態によるアンライセンス周波数バンドにおけるリソース割当の別の可能な概略図である。
【００４３】
【図５−３】図5-3は本発明の実施形態によるアンライセンス周波数バンドにおけるリソース割当の更に別の可能な概略図である。
【００４４】
【図６−１】図6-1は本発明の実施形態によるアンライセンス周波数バンドでの候補タイム・ユニット・セットにおけるリソース割当の可能な概略図である。
【００４５】
【図６−２】図6-2は本発明の実施形態によるアンライセンス周波数バンドでの候補タイム・ユニット・セットにおけるリソース割当の別の可能な概略図である。
【００４６】
【図７】図7は本発明の実施形態による端末デバイスの可能な概略構造図である。
【００４７】
【図８】図8は本発明の実施形態によるネットワーク・デバイスの可能な概略構造図である。
【発明を実施するための形態】
【００４８】
以下、本発明の実施形態において添付図面に関連する本発明の実施形態における技術的解決手段を説明する。本発明の実施形態及び実施形態の特徴は、矛盾が存在しない条件で互いに組み合わせられることが可能であることに留意すべきである。
【００４９】
本発明における解決手段は、ワイヤレス通信システムに適用され、特に、通信にアンライセンス周波数バンドを使用するLTEシステム、例えばライセンス・アシスト・アクセスLAA-LTE(LAA-LTE)システム、デュアル・コネクティビティ(Dual  Connectivity：DC)に基づくLTEシステム、及びアンライセンス・スペクトルシステムにおけるスタンドアローンLTE(standalone  LTE  over  unlicensed  spectrum：スタンドアローンLTE-U)に適用される。一例としてLAA-LTEシステムを使用した場合の特定の状況が図1に示されている。キャリア・アグリゲーション(Carrier  Aggregation：CA)技術を使用することにより、LTEデバイスは、ライセンス周波数バンド・キャリアをプライマリ・コンポーネント・キャリア(Primary  Component  Carrier：PCC)として使用し、アンライセンス周波数バンド・キャリアをセカンダリ・コンポーネント・キャリア(Secondary  Component  Carrier：SCC)又はセカンダリ・サービング・セル(Secondary  Cell：SCell)として使用してもよい。このように、LTEデバイスは、ライセンス周波数バンド・キャリアを利用することにより従来のワイヤレス通信の長所を取得し、及びライセンス周波数バンド・キャリアの負荷を減らすために、アンライセンス周波数バンド・キャリアを利用することによりオフロードを実現することが可能である。アンライセンス周波数バンド・リソースを使用する場合、LAA-LTEシステムは、アンライセンス周波数バンドの使用仕様に従う必要がある。特定のネットワーク・アーキテクチャにおいて、ライセンス周波数バンド、ライセンス周波数バンド・キャリア、又はライセンス周波数バンドで動作するセルはプライマリ・サービング・セルとして使用され、アンライセンス周波数バンド、アンライセンス周波数バンド・キャリア、又はアンライセンス周波数バンドで動作するセルはセカンダリ・サービング・セルとして使用される。プライマリ/サービング・セル及びセカンダリ・サービング・セルは同じサイトに配備されてもよいし、或いは異なるサイトに配備されてもよい。2つのセルの間には理想的なバックホール経路が存在する。
【００５０】
更に、ネットワーク・アーキテクチャは、アンライセンス周波数バンドで動作する独立に配備されたセルを更に含んでもよい。即ち、アンライセンス周波数バンドで動作するセル、例えばスタンドアローンLTE-Uシステムは、ライセンス周波数バンドで動作するセルの支援無しに独立したアクセス機能を直接的に提供してもよい。本発明の実施形態は、上記のネットワーク・アーキテクチャに限定されず、本発明の実施形態で提供される解決手段を実現することが可能な別のネットワーク・アーキテクチャを更に含んでもよい。
【００５１】
本発明で言及されるネットワーク・デバイスは、端末デバイスを除く全てのネットワーク側のエレメントを含み、基地局、セル、アクセス・ポイント、コア・ネットアワーク、又はアクセス・ネットワーク・エレメントであってもよい。基地局は、受信したオーバー・ザ・エアー・フレームとIPパケットとの間の相互通信を実行し、ワイヤレス端末とアクセス・ネットワークの残りの部分との間のルーターとして役立つように構成されてもよく、アクセス・ネットワークの残りの部分はインターネット・プロトコル(IP)ネットワークを含んでもよい。基地局は、エアー・インターフェースの属性管理を更に統合してもよい。例えば、基地局は、モバイル通信のためのグローバル・システム(Global  System  for  Mobile  communications：GSM)又は符号分割多重アクセス(Code  Division  Multiple  Access：CDMA)システムにおける基地局であってもよいし、ワイドバンド符号分割多重アクセス(Wideband  Code  Division  Multiple  Access  Wireless：WCDMA)システムにおけるノードB(NodeB)であってもよいし、或いはLTEにおけるエボルブドNodeB(evolutional  Node  B：eNB又はe-Node)であってもよい。セルは基地局に対応するセルであってもよく、セルはマクロ基地局に属していてもよいし、或いはスモール・セル(small  cell)に対応する基地局に属していてもよい。ここで、スモール・セルは、メトロ・セル(Metro  cell)、ミクロ・セル(Micro  cell)、ピコ・セル(Pico  cell)、フェムト・セル(Femto  cell)等を含んでよい。これらのスモール・セルは、小さなカバレッジ・エリア及び低送信電力により特徴付けられ、高速データ送信サービスに適用可能である。本発明の実施形態は、上記のネットワーク・デバイスに限定されず、本発明の実施形態で提供される解決手段を実現することが可能な別のネットワーク・デバイスを更に含んでもよい。
【００５２】
本発明で言及される端末デバイスは、ユーザーに音声及び/又はデータ接続を提供するデバイス、ワイヤレス・コネクション機能を有する携帯デバイス、又はワイヤレス・モデムに接続される別の処理デバイスであってもよい。ワイヤレス・デバイス又はユニットは、モバイル・フォン(又は「セルラー」フォンのように言及される)のようなモバイル端末、又はモバイル端末を有するコンピュータのであってもよい。例えば、モバイル端末は、ポータブル、ポケット・サイズ、ハンドヘルド、コンピュータ内蔵、又は車載のモバイル装置であってもよく、音声及び/又はデータを無線アクセス・ネットワークとやり取りする。例えば、モバイル端末は、パーソナル通信サービス(Personal  Communication  Service：PCS)フォン、コードレス電話セット、セッション・イニシエーション・プロトコル(SIP)電話セット、ワイヤレス・ローカル・ループ(Wireless  Local  Loop：WLL)ステーション、又はパーソナル・ディジタル・アシスタント(Personal  Digital  Assistant：PDA)のようなデバイスであってもよい。ワイヤレス端末は、システム、加入者ユニット(Subscriber  Unit)、加入者ステーション(Subscriber  Station)、モバイル・ステーション(Mobile  Station)、モバイル・コンソール(Mobile)、リモート・ステーション(Remote  Station)、アクセス・ポイント(Access  Point)、リモート端末(Remote  Terminal)、アクセス端末(an  access  terminal)、ユーザー端末(User  Terminal)、ユーザー・エージェント(User  Agent)、ユーザー・デバイス(User  Device)、又はユーザー装置(User  Equipment)として言及されてもよい。端末デバイスは、リレー(Relay)を更に含んでもよい。基地局とデータ通信を実行することが可能なデバイスは、端末デバイスとして考えられてよい。好ましくは、本発明における端末デバイスは、代替的に、非無線リソース・コネクション状態における端末デバイスであってもよい。これは本発明の実施形態で特に限定されない。
【００５３】
アンライセンス周波数バンドを使用するLTEシステムに関し、アンライセンス周波数バンドが通信に使用される場合、ワイヤレス・フィデリティ(Wireless  Fidelity：Wi-Fi)通信システムに属する通信デバイスは、リソースに関してLTEシステムと非常に競合しやすい。Wi-Fi通信システムで使用されるリソース競合方法は、リッスン・ビフォー・トーク(Listen  Before  Talk：LBT)ルールでもある。LBTの基本概念は：チャネルでデータを送信する前に、各通信デバイス(ネットワーク・デバイス及び/又は端末デバイス)は、現在のチャネルがアイドルであるか否かを先ず検査する必要があり、即ち隣接するノードがデータを送信するためにチャネルを占有しているか否かを検査する必要がある。この検査プロセスはクリア・チャネル・アセスメント(Clear  Channel  Assessment：CCA)として言及される。ある時間期間においてチャネルはアイドルであることが発見された場合、通信デバイスはデータを送信することが可能である。更に、一般に、チャネルでデータを送信する時間は限られており、限られた時間範囲の中で、通信デバイスはクリア・チャネル・アセスメントを実行する必要はない。チャネルは占有されていることが発見された場合、通信デバイスは現在そのチャネルでデータを送信することはできない。
【００５４】
上記のプロセスにおいて、通信デバイスは、信号検出及びエネルギ検出のような方法で、チャネルはアイドルであるか否かを検査してもよい。例えば、信号検出方法では、特定の信号が発見されない場合(例えば、Wi-Fiシステムの場合、その信号はプリアンブル信号であってもよい)、チャネルはアイドルであると考えられてよい。この場合、通信デバイスは、アンライセンス周波数バンドを使用することによりデータ送信を実行してもよい。別の例に関し、エネルギ検出方法では、受信した又は検出したエネルギが閾値未満であった場合、チャネルはアイドルであると考えられてよい。この場合、通信デバイスは、アンライセンス周波数バンドを使用することによりデータ送信を実行してもよい。
【００５５】
アンライセンス周波数バンド・リソースをより効率的に利用するため、非固定フレーム構造が、アンライセンス周波数バンドでのデータの送信に適用される。アンライセンス周波数バンドが先取された後、基地局又はセルのようなネットワーク・デバイスは、ダウンリンク・サービス負荷及び/又はアップリンク・サービス負荷又は別の要因に基づいて、ダウンリンク・ユーザー・データ送信持続時間及び/又はアップリンク・データ送信持続時間を決定してもよく、及びアンライセンス周波数バンド・リソースの利用を改善するように、サービス条件に応じてアンライセンス周波数バンドにおけるアップリンク及びダウンリンク送信のモードを調整してもよい。更に、アンライセンス周波数バンド・リソースの利用は、最大チャネル占有時間(Maximum  Channel  Occupancy  Time：MCOT)により制限される。1つの連続するダウンリンク・ユーザー・データ送信の持続時間はMCOTより大きくなることはできず、1つの連続するアップリンク・データ送信の持続時間はMCOTより大きくなることはできず、或いは1つの連続するダウンリンク・ユーザー・データ送信の持続時間及び1つの連続するアップリンク・データ送信の持続時間の合計はMCOTより大きくなることはできない。ここで、MOCTは、アンライセンス周波数バンド・リソースを先取した後に、ネットワーク・デバイス又は端末デバイスが、アンライセンス周波数バンド・リソースの利用可能性に対応する最大時間長を評価することなく、先取したアンライセンス周波数バンド・リソースでデータ送信を実行してよいことを意味する。各々の送信機会(Transmission  Opportunity：TxOP)に含まれるダウンリンク・バースト・データ送信及び/又はアップリンク・バースト・データ送信を含む部分は、フレーム構造として理解されてよい。異なるTXOPは異なるフレーム構造を含んでもよく、TXOPでの送信持続時間はMCOTより大きくない。
【００５６】
予約された送信チャネルはアンライセンス周波数バンド・リソース上で間隔を置いて設定されている。予約された送信チャネルは情報を送信するために通信デバイスにより使用される。間隔は、周期的な間隔又は非周期的な間隔であってもよく、特定の時間間隔が、送信情報の種類に基づいて決定される。予約された送信チャネルは物理ランダム・アクセス・チャネル(Physical  Random  Access  Channel：PRACH)であってもよく、その場合チャネル・リソースは時間ドメインで周期的に設定されている；スケジューリング・リクエスト(Scheduling  Request：SR)を送信するために使用されるアップリンク・リソースであってもよく、その場合アップリンク・リソースは時間ドメインで周期的に設定されている；サウンディング・リファレンス信号(Sounding  Reference  Signal：SRS)を送信するために使用されるアップリンク・リソースであってもよく、その場合アップリンク・リソースは時間ドメインで周期的に設定されている；ハイブリッド自動再送要求アクノリッジメント(Hybrid  Automatic  Repeat  Request,  Acknowledgment：HARQ-ACK)を送信するために使用されるアップリンク・リソースであってもよく、その場合HRAQ-ACKは少なくともアクノリッジメント(Acknowledgment：ACK)及び否定アクノリッジメント(Negative  Acknowledgement：NACK)を含み、HARQ-ACKを送信するために使用されるアップリンク・リソースは時間ドメインで周期的に設定されている；チャネル状態情報(Channel  State  Information：CSI)を送信するために使用されるアップリンク・リソースであってもよく、その場合アップリンク・リソースは時間ドメインで周期的に設定されている；或いは物理アップリンク制御チャネル(Physical  Uplink  Control  Channel：PUCCH)であってもよく、その場合チャネル・リソースは時間ドメインで周期的に設定されている。
【００５７】
予約された送信チャネルがPRACHであることが一例として使用される。ネットワーク・デバイス(例えば、基地局又はセル)は、アンライセンス周波数バンド・リソースを使用することによりデータ送信を実行する必要があり；クリア・チャネル・アセスメントが実行された後に、ネットワーク・デバイスは、コネクションを通じて、アンライセンス周波数バンドにおけるリソース・セグメントを取得し、その場合最大持続時間はMCOTである。コネクションを通じてアンライセンス周波数バンドにおけるリソース・セグメントを取得した後に、ネットワーク・デバイスは、設定されたフレーム構造に基づいてダウンリンク・ユーザー・データ送信を実行する。設定されたフレーム構造は、ダウンリンク・サービス条件に応じて決定されてもよい。アンライセンス周波数バンドにおけるPRACHの予約された位置が、競合によりネットワーク・デバイスにより取得されたリソース上にたまたま存在する場合、たとえ、ネットワーク・デバイスが競合によりアンライセンス周波数バンドを取得した後、MOCTにより制限される時間長に到達していなかったとしても、ネットワーク・デバイスはダウンリンク・ユーザー・データ送信を中断する必要があり、それによりアンライセンス周波数バンドで予約されたリソースはPRACH送信のために使用される。PRACH送信が終了した後、ネットワーク・デバイスは、アンライセンス周波数バンド・リソースが利用可能であるか否かを決定し、中断したダウンリンク・ユーザー・データ送信が再開されることが可能であるか否かを決定するために再びクリア・チャネル・アセスメントを更に実行する必要がある。この場合、ネットワーク・デバイスのダウンリンク・データの送信は失敗し、アンライセンス周波数バンドでデータを送信する効率が影響を受ける。更に、PRACH送信が実行される前に、端末デバイスも、アンライセンス周波数バンド・リソースが利用可能であるか否かを決定するためにクリア・チャネル・アセスメントを実行する必要があるかもしれない。例えば、予約されたアップリンク・リソースがダウンリンク・ユーザー・データ送信に対応するMOCT内にある場合、端末デバイスは、アンライセンス周波数バンド・リソースの利用可能性を評価することなく、予約されたアップリンク・リソースでデータ送信を実行してもよい。予約されたアップリンク・リソースが、ダウンリンク・ユーザー・データ送信に対応するMCOTを越える場合、端末デバイスは、アンライセンス周波数バンド・リソースの利用可能性を評価した後に限り、予約されたアップリンク・リソースでデータ送信を実行する。これは、アンライセンス周波数バンドでデータを送信する効率を更に減らす。
【００５８】
図2は具体例を示す。CCAが実行された後、ネットワーク・デバイスは、サブフレームnにおいてデータ送信が実行されてよいと判断する。そして、ネットワーク・デバイスは、サブフレームnというサブフレーム開始境界においてダウンリンク・ユーザー・データ送信の実行を開始し、サブフレーム(n+m)というサブフレーム終了境界においてデータ送信を実行することを止める(mは5に等しい)。更に、サブフレームnというサブフレーム開始境界とサブフレーム(n+m)というサブフレーム終了境界との間の時間長は、MCOTより大きくない。しかしながら、サブフレームnというサブフレーム開始境界とサブフレーム(n+m)というサブフレーム終了境界との間の時間内で、PRACHリソースがサブフレーム(n+k)にある場合(ここで、kは0より大きくmより小さい)、アクセス・ネットワーク・デバイスは、サブフレームnというサブフレーム開始境界から、サブフレーム(n+k-1)というサブフレーム終了境界までしかダウンリンク・ユーザー・データを送信できない(k=3)。そして、ネットワーク・デバイスは、ダウンリンク・ユーザー・データが送信され続けることが可能であるか否かを決定するために、再びCCAを実行する必要がある。更に、ダウンリンク・ユーザー・データの終了時点とアップリンク・リソースの開始時点との間の時間間隔に応じて、端末デバイスは、アップリンク情報を送信する前にクリア・チャネル・アセスメントを実行する必要があるかもしれない。従って、アンライセンス周波数バンドでデータを送信する効率は減らされる。
【００５９】
従って、本発明の実施形態はアンライセンス周波数バンドにおける通信技術を提供する。アンライセンス周波数バンドにおけるフレーム構造のデザインに及ぼす影響を減らし、及びアンライセンス周波数バンドでデータを送信する効率を改善するように、データ送信位置がアンライセンス周波数バンドで適切に設定される。
【００６０】
本発明の実施形態において、ダウンリンク制御情報は、ディスカバリ・リファレンス信号(Discovery  Reference  Signal：DRS)、共通制御情報(例えば、共通制御チャネルで搬送されるダウンリンク制御情報)、又は本発明の実施形態に適用可能な他のタイプのダウンリンク制御情報であってもよいことに留意すべきである。DRSは、セル固有リファレンス信号(Cell-specific  Reference  Signal：CRS)、セカンダリ同期信号(Secondary  Synchronization  Signal：SSS)、プライマリ同期信号(Primary  Synchronization  Signal：PSS)、及び設定可能なチャネル状態情報リファレンス信号(channel  State  Information  Reference  Signal：CSI-RS)のうちの1つ以上を含む。共通制御情報は、システム情報ブロック・タイプ1(System  Information  Block  Type  1：SIB1)で搬送される情報の全部又は一部、物理ブロードキャスト・チャネル(Physical  Broadcast  Channel：PBCH)で搬送される情報の全部又は一部、又は別のシステム情報ブロック・タイプ(System  Information  Block  Type：SIB)で搬送される情報の全部又は一部を含む。
【００６１】
本発明の実施形態において、アップリンク情報は、以下の情報のうちの少なくとも1つであってもよいことに留意すべきである：物理ランダム・アクセス・チャネル(Physical  Random  Access  Channel：PRACH)、サウンディング・リファレンス信号(Sounding  Reference  Signal：SRS)、送信スケジューリング・リクエスト(Scheduling  Request：SR)、周期的なチャネル状態情報(Channel  State  Information：CSI)等に含まれるアップリンク情報、又は本発明の実施形態に適用可能な別のタイプのアップリンク情報の全部又は一部。
【００６２】
図3は本発明の実施形態によるアンライセンス周波数バンドにおける通信方法の概略的なフローチャートである。方法は具体的には以下のステップを含む。
【００６３】
S301。ネットワーク・デバイスは第1タイム・ユニットの中でダウンリンク制御情報を送信し、第1タイム・ユニットは候補タイム・ユニット・セットに含まれ、候補タイム・ユニット・セットは複数の連続的なタイム・ユニットのうちの少なくとも1つであり、候補タイム・ユニット・セットは複数の連続的なタイム・ユニット内で等間隔である。
【００６４】
それに応じて端末デバイスはネットワーク・デバイスにより送信されたダウンリンク制御情報を受信する。
【００６５】
具体的には、アンライセンス周波数バンドは時間ドメインで複数の連続的なタイム・ユニットに分割されてもよく、タイム・ユニットはサブフレームであってもよい。候補タイム・ユニット・セットは、例えば、6つの候補タイム・ユニットを含んでもよく、40個の連続的なタイム・ユニット毎に1つの候補タイム・ユニット・セットが存在する。ネットワーク・デバイスは、候補ユニット・セットに含まれる6つのタイム・ユニットで連続的にCCAを実行し、CCAが成功した後にダウンリンク制御信号を送信する。ダウンリンク制御信号が実際に送信されるタイム・ユニットは、第1タイム・ユニットである。ネットワーク・デバイスが、候補ユニット・セットの6つのタイム・ユニットの中でダウンリンク制御信号を送信する機会を有しない場合(例えば、CCAが失敗した場合)、ネットワーク・デバイスは次の候補タイム・ユニット・セットでダウンリンク制御信号を送信することを試みる必要がある。
【００６６】
S302。端末デバイスは、ダウンリンク制御情報が送信された時間に基づいて、アップリンク情報を送信するためのタイム・ウィンドウを決定する。
【００６７】
S303。端末デバイスはタイム・ウィンドウの中でアップリンク情報を送信する。
【００６８】
S304。ネットワーク・デバイスは、ダウンリンク制御情報が送信された時間に基づいて、アップリンク情報を受信する。
【００６９】
タイム・ウィンドウの開始時点T1は第1タイム・ユニット又は第2タイム・ユニット内にあり、第2タイム・ユニットは第1タイム・ユニットの次のタイム・ユニットであり、ダウンリンク制御情報の終了時点はT2である。
【００７０】
以下、ダウンリンク制御情報がDRS信号である例を使用することにより、ステップS302ないしS304を詳述する。当業者は、以下の実施形態は説明のための一例としてDRS信号を単に使用していることを知り得る。しかしながら本発明の保護範囲はダウンリンク制御情報がDRSであるケースに限定されず、本発明の他の部分で言及され且つ本発明の実施形態の条件を満たす任意のタイプのダウンリンク制御情報方式を更に含む。
【００７１】
図4にはDRSの具体的な構造が示されている。DRSエリアは時間ドメインで12個のOFDMシンボルを含むが、全てのOFDMシンボルが有効データにより占有されているわけではない。一例として、物理リソース・ブロック(Physical  Resource  Block：PRB)ペアを使用すると、PRBは時間ドメインで1msであり、周波数ドメインで12個のサブキャリアを含み；及びリソース・エレメント(Resource  Element：RE)は、時間ドメインでは1つのOFDMシンボルであり、周波数ドメインでは1サブキャリアである。
【００７２】
本発明の選択的な実施形態において、端末デバイスは、時点T2でダウンリンク制御情報を受信することを止め、端末デバイスによりアップリンク情報を送信するためのタイム・ウィンドウの開始時点はT1であり、T1及びT2の間に時間間隔が存在する。時点T1の位置は複数の選択的な実装において設定されてよい。詳細は以下のとおりである。
【００７３】
ある実装において、時点T1の位置が設定され、それにより端末デバイスはT1及びT2の間の時間間隔の中でダウンリンク・ユーザー・データを受信しない。例えば、ネットワーク・デバイスは時間間隔の中でダウンリンク・ユーザー・データを送信しない；或いは端末デバイスは時間間隔の中でダウンリンク・ユーザー・データを受信せず、それはネットワーク・デバイスがダウンリンク・ユーザー・データを送信していないことと等価である。別の例に関し、1つのダウンリンク・ユーザー・データ送信スケジューリングを実行するのに十分でないT1及びT2の間の時間間隔が設定される。これは、時間間隔が非常に長いので新たなダウンリンク・ユーザー・データが送信されることが許可される場合に、新たなダウンリンク・ユーザー・データが送信され始めることを回避することが可能である。この実装は、端末デバイスがダウンリンク制御情報を受信した後、端末デバイスがアップリンク情報を送信する前に、他のダウンリンク・ユーザー・データ送信が実行されないことを保証し、時間間隔の中でネットワーク・デバイスにより実行されるダウンリンク・ユーザー・データ送信の中断又は終了を回避することが可能であり、これによりアンライセンス周波数バンドでデータを送信する効率を改善する。
【００７４】
別の実装において、時点T1は第2タイム・ユニットの開始時点である；或いはT2は第1タイム・ユニットの中のn番目のOFDMシンボルであり、T1は第1タイム・ユニット内の(n+2)番目のOFDMシンボルである。例えば、T2は第1タイム・ユニットの中のn番目のOFDMシンボルの終了時点であり、T1は第1タイム・ユニットの中の(n+2)番目のOFDMシンボルの開始時点である。
【００７５】
詳細については図5-1及び図5-2を参照されたい。ネットワーク・デバイスはサブフレームnでDRSを送信し；及び端末デバイスはサブフレームnでDRSを検出又は受信し、時点T2でDRSを受信することを止める。このケースでは、サブフレーム(n+1)の開始時点又はサブフレームnの14番目のシンボルの開始時点が、タイム・ウィンドウの開始時点T1として使用される。この実装では、ダウンリンク制御情報送信中に生じ得る遅延が考慮され、アップリンク情報を送信するためのタイム・ウィンドウの開始時点T1は完全な時間境界から始まることが、保証されることが可能である。
【００７６】
更に別の実装において、T1は、時点T2の後、受信/送信の遷移時間のみが満了する時点である。ネットワーク・デバイスに関し、受信/送信の遷移時間は、ダウンリンク・ユーザー・データを送信することの停止とネットワーク・デバイスによりアップリンク・データを受信することの開始との間の遷移時間を含む。端末デバイスに関し、受信/送信の遷移時間は、ダウンリンク・ユーザー・データを受信することの停止と端末デバイスによりアップリンク・データを送信することの開始との間の遷移時間を含む。例えば、ネットワーク・デバイスに関し、受信/送信の遷移時間は17マイクロ秒より大きくないかもしれず；端末デバイスに関し、受信/送信の遷移時間は20マイクロ秒より大きくないかもしれない。
【００７７】
アップリンク情報がPRACHであることが一例として使用される。詳細については図5-3を参照されたい。ネットワーク・デバイスはサブフレームnでDRSを送信し、DRSエリアは時間ドメインで12個のOFDMシンボルを含み；及び端末デバイスはサブフレームnでDRSを検出又は受信し、時点T2でDRSを受信することを止める。端末デバイスによりアップリンク情報を送信するためのタイム・ウィンドウの開始時点は、時点T2の後で受信/送信の遷移時間が満了する時点T1であり、即ち、サブフレームnに含まれる13番目のOFDMシンボルの後で、受信/送信の遷移時間が満了する時点である。この実装では、DRSを受信した後、端末デバイスは、受信/送信の遷移時間が満了した場合に速やかにアップリンク情報を送信してよい。これは、チャネルが別の通信デバイスにより先取されることを回避し、アンライセンス周波数バンドにおける送信の効率を改善する。
【００７８】
本発明の別の選択的な実施形態において、候補タイム・ユニット・セットは複数の連続的なタイム・ユニットのうちの少なくとも1つであり、候補タイム・ユニット・セットは1つ以上のタイム・ユニットを含んでよい。
【００７９】
例えば、候補タイム・ユニット・セットが1つのタイム・ユニットを含む場合、ネットワーク・デバイスは、タイム・ユニットの中でダウンリンク制御情報を送信し、端末デバイスはタイム・ユニットの中でダウンリンク制御情報を検出及び受信する。
【００８０】
別の例に関し、候補タイム・ユニット・セットが複数のタイム・ユニットを含む場合、ネットワーク・デバイスは、複数のタイム・ユニットのうちの1つの中でダウンリンク制御情報を送信し、端末デバイスはダウンリンク制御情報を検出及び受信する。
【００８１】
例えば、ダウンリンク制御情報がDRSである場合、DRSマネジメント時間設定(Discovery  Management  Time  Configuration：DMTC)に対応する周期的なタイム・ウィンドウが、DRSを送信するために使用されてもよい。ネットワーク・デバイスは、CCAによりDRS送信位置を決定し、DRSを送信する。DMTCは、長さが6ms、即ち6サブフレームである時間期間であってもよいし；或いはDMTCは例えば時間期間の長さが1msないし10msの範囲、即ち1サブフレームないし10サブフレームの範囲に及ぶ設定可能な時間期間である。各サブフレームはDRSを送信するために使用されてもよく、DRSを送信するために使用されてよい位置は、各サブフレームの12シンボルを占める。
【００８２】
更に、候補タイム・ユニット・セットは複数の連続的なタイム・ユニット内で等間隔であり、即ち候補タイム・ユニット・セットは複数の連続的なタイム・ユニットにおいて周期的に設定される。この実装では、ダウンリンク制御情報を受信するために端末デバイスにより使用されるタイム・ユニットの位置は、候補タイム・ユニット・セットの中で可変であるが、端末デバイスは、各々の候補タイム・ユニット・セットの周期の中でダウンリンク制御情報を受信することが可能であり、端末デバイスは各々の周期の中でアップリンク情報を送信することが可能である。
【００８３】
本発明の別の選択的な実施形態において、端末デバイスは、ダウンリンク制御情報に基づいて、アップリンク情報を送信するためのタイム・ウィンドウを決定し、タイム・ウィンドウの中でアップリンク情報を送信する。アップリンク情報を送信する前に、端末デバイスは、クリア・チャネル・アセスメントCCAを実行してもよいし、或いはクリア・チャネル・アセスメントCCAを実行しなくてもよい。具体的な実装は以下のようであってもよい。
【００８４】
ある実装において、端末デバイスがダウンリンク制御情報を受信することを止める時点T2と、アップリンク情報を送信するためのタイム・ウィンドウの開始時点T1との間の時間間隔は、非常に短いので、別の通信デバイスはアンライセンス周波数バンド・リソースを競合又は先取することはできない。従って、端末デバイスは、アップリンク情報を送信する前にCCAオペレーションを実行する必要はない。
【００８５】
別の実装において、端末デバイスは、アップリンク情報を送信する前にCCAを実行する。CCAはタイム・ウィンドウの中で又はタイム・ウィンドウを越えて実行されてもよい。
【００８６】
例えば、ダウンリンク制御情報を受信することを止めた後に、端末デバイスは、タイム・ウィンドウの開始前にCCAオペレーションを完了する。言い換えれば、タイム・ウィンドウの中の時間はCCAオペレーションにより占有されない。
【００８７】
別の例に関し、端末デバイスは、タイム・ウィンドウの中でCCAアセスメントを実行し、端末デバイスは、CCAアセスメントが成功した後にアップリンク情報を送信する。タイム・ウィンドウが複数のタイム・ユニットを含む場合、端末デバイスは、CCAアセスメントが成功するまで、各タイム・ユニットの開始時点の前又はその時点でCCAアセスメントを実行してもよい。タイム・ウィンドウ内のタイム・ユニットはアイドルであると決定した場合、端末デバイスはアップリンク情報を送信し始める。
【００８８】
この実装では、CCAアセスメントが実行される時間は、リスニング・メカニズムがランダム・バックオフを含むか否かに依存して異なり得ることに留意すべきである。これはここで特に限定されない。
【００８９】
本発明の別の選択的な実施形態において、端末デバイスは、タイム・ウィンドウの中でアップリンク情報を送信する。タイム・ウィンドウの開始時点T1は複数の方法で設定されてよい。
【００９０】
例えば、時点T1は標準プロトコルにより特定される。標準的なプロトコルに従って、端末デバイスは、その開始時点がT1であるタイム・ウィンドウを使用することにより、アップリンク情報を送信する。
【００９１】
別の例に関し、時点T1はシグナリングを使用することにより設定される。シグナリングは、無線リソース・コントロール(Radio  Resource  Control：RRC)シグナリング、媒体アクセス制御(Medium  Access  Control：MAC)シグナリング、又は物理レイヤ・シグナリングであってもよい。更に、シグナリングは、RRCシグナリングにおけるブロードキャスト・シグナリングであってもよいし；物理レイヤ共通制御シグナリングであってもよいし；システム内の一部の端末デバイスに対してのみ有効な、RRCシグナリングのグループ・ブロードキャスト・シグナリングであってもよいし；或いはシステム内の一部の端末デバイスに対してのみ有効な、物理レイヤ・グループ共通制御情報であってもよい。
【００９２】
更に別の例において、タイム・ウィンドウの開始時点T1は、共通制御チャネルを使用することにより、端末デバイスへネットワーク・デバイスにより指示されてもよい。共通制御チャネルは、例えば、第1タイム・ユニットのような同じタイム・ユニット、或いは別の事前に設定された又は利用可能なタイム・ユニットの中で、ダウンリンク制御情報と一緒に送信されてもよい。選択的に、共通制御チャネルを搬送するタイム・ユニットは周期的に分散されていてもよい。
【００９３】
本発明の別の選択的な実施形態において、端末デバイスはタイム・ウィンドウの中でアップリンク情報を送信する。アップリンク情報を送信するためのタイム・ウィンドウの時間長は不変であってもよいし、或いは条件に応じて設定されてもよい。例えば、アップリンク情報を送信するための時間長は、1OFDMシンボル、1サブフレーム、1タイムスロット(0.5ミリ秒)、或いは他のOFDMシンボルの積分量であってもよい。別の例に関し、アップリンク情報を送信するための時間リソースの長さは、事前に設定されていてもよいし、或いはシグナリングを使用することにより通知されてもよい。具体的には、時間長は、標準プロトコルにより直接的に決定される；或いは時間長はシグナリングを使用することにより設定され、その場合、信号はRRCシグナリング、MACシグナリング、又は物理レイヤ・シグナリング(例えば、物理レイヤ共通制御シグナリング)であってもよい。
【００９４】
本発明の別の選択的な実施形態において、ネットワーク・デバイスは指示情報を更に送信し；端末デバイスは指示情報を受信し、指示情報に基づいて、タイム・ウィンドウの中でアップリンク情報を送信するか否かを決定する。指示情報は、タイム・ウィンドウが存在するか否かを端末デバイスに指示するため、或いは端末デバイスはタイム・ウィンドウの中でアップリンク情報を送信することを許可されているか否かを指示するために使用されてもよい。指示情報についての以下の複数の実装が存在し得る。
【００９５】
ある実装において、端末デバイスは、指示情報が発見されたか否かに基づいて、タイム・ウィンドウが存在するか否か、或いはアップリンク情報はタイム・ウィンドウの中で送信されることを許可されているか否かを決定する。例えば、端末デバイスが指示情報を発見しない場合、それはタイム・ウィンドウが存在することを端末デバイスに指示し、或いは端末デバイスはタイム・ウィンドウの中でアップリンク情報を送信することを許可されていることを指示し；及び端末デバイスはタイム・ウィンドウの中でアップリンク情報を送信する。別の例に関し、端末デバイスが指示情報を発見する場合、それはタイム・ウィンドウが存在することを端末デバイスに指示し、或いは端末デバイスはタイム・ウィンドウの中でアップリンク情報を送信することを許可されていることを指示し；及び端末デバイスはタイム・ウィンドウの中でアップリンク情報を送信する。更に別の例に関し、端末デバイスが指示情報を発見する場合、それはタイム・ウィンドウが存在しないことを端末デバイスに指示し、或いは端末デバイスはタイム・ウィンドウの中でアップリンク情報を送信することを許可されていないことを指示し；及び端末デバイスはタイム・ウィンドウの中でアップリンク情報を送信しない。更に別の例に関し、端末デバイスが指示情報を発見しない場合、それはタイム・ウィンドウが存在しないことを端末デバイスに指示し、或いは端末デバイスはタイム・ウィンドウの中でアップリンク情報を送信することを許可されていないことを指示し；及び端末デバイスはタイム・ウィンドウの中でアップリンク情報を送信しない。
【００９６】
別の実装において、指示情報は、タイム・ウィンドウが存在するか否かを端末デバイスに指示するため、或いは端末デバイスはタイム・ウィンドウの中でアップリンク情報を送信することを許可されることを指示するために使用される。例えば、指示情報がタイム・ウィンドウは存在すること、或いは端末デバイスはタイム・ウィンドウの中でアップリンク情報を送信することを許可されていることを端末デバイスに通知する場合、端末デバイスはタイム・ウィンドウの中でアップリンク情報を送信する。別の例に関し、指示情報がタイム・ウィンドウは存在しないこと、或いは端末デバイスはタイム・ウィンドウの中でアップリンク情報を送信することを許可されていないことを端末デバイスに通知する場合、端末デバイスはタイム・ウィンドウの中でアップリンク情報を送信しない。この実装において、端末デバイスは、通知情報により指示される内容に基づいて、タイム・ウィンドウの中でアップリンク情報を送信するか否かを直接的に決定してよい。
【００９７】
上記の実装において、選択的に、指示情報は共通制御情報であってもよい。端末デバイスへ指示情報を送信するために共通制御情報を使用することは、シグナリング・オーバーヘッドを減らすことが可能である。更に、選択的に、共通制御情報は、指示情報を含むダウンリンク・データ・バーストの終了位置を指示するために更に使用されてもよい。ダウンリンク・データ・バーストは、ネットワーク・デバイスがアンライセンス周波数バンド・リソースを先取した後に、アンライセンス周波数バンド・リソースでネットワーク・デバイスによりダウンリンク・データを連続的に送信する時間長として理解されてもよい。このように、追加的な設計方法を使用することなく、既存のシグナリング設計が使用されてよい。これは通信システムの設計の複雑さを減らす。
【００９８】
(図6-1に示されるように)アンライセンス周波数バンド・リソースにおける各々の候補タイム・ユニット・セット内で、ネットワーク・デバイスはダウンリンク制御情報のみを送信してもよいし；或いはダウンリンク制御情報及び指示情報を送信してもよいし；ダウンリンク制御情報に加えて、或いはダウンリンク制御情報及び指示情報に加えてダウンリンク・ユーザー・データを送信してもよいことに留意すべきである。図6-2に示されるように(第1タイム・ユニットはサブフレーム5により表現されている)、ダウンリンク・ユーザー・データは、物理ダウンリンク共有チャネル(Physical  Downlink  Shared  Channel：PDSCH)で搬送されるデータを含み、その場合データはブロードキャスト・データではない；物理ダウンリンク制御チャネル(Physical  Downlink  Control  Channel：PDCCH)で搬送されるデータを含んでもよいし；エンハンスト物理ダウンリンク制御チャネル(Enhanced  Physical  Downlink  Control  Channel：E-PDCCH)で搬送されるデータを含んでもよいし；或いは物理ブロードキャスト・チャネル(Physical  Multicast  Channel：PMCH)で搬送されるデータを含んでもよい。ダウンリンク・ユーザー・データはダウンリンク・リファレンス信号を更に含んでもよい。ダウンリンク・リファレンス信号は：セル固有リファレンス信号(Cell-specific  Reference  Signal：CRS)、マルチメディア・ブロードキャスト・マルチキャスト・サービス信号周波数ネットワーク・リファレンス信号(Multimedia  Broadcast  Multicast  Service  Single  Frequency  Network  Reference  Signal：MBSFN)、PDSCHで搬送されるデータを復調するために使用されるUE固有リファレンス信号(UE-specific  Reference  Signal：DM-RS)、EPDCCH又はMPDCCHで搬送されるデータを復調するために使用されるリファレンス信号(Demodulation  Reference  Signal：DM-RS)、ポジショニング・リファレンス信号(Positioning  Reference  Signal：PRS)、及びチャネル状態情報リファレンス信号(CSI  Reference  Signal：CSI-RS  for  short)のうちの少なくとも1つを含む。
【００９９】
選択的に、候補タイム・ユニット・セットがダウンリンク・ユーザー・データを含む場合、アンライセンス周波数バンドにおけるフレーム構造のデザインに影響を及ぼさないように、ネットワーク・デバイスは、指示情報を利用することにより、タイム・ウィンドウの中でアップリンク情報を送信しないように、或いはタイム・ウィンドウに含まれる一部のタイム・ユニット内でアップリンク情報を送信しないように端末デバイスに指図してもよい。詳細については、以下のケースの実装を参照されたい。
【０１００】
あるケースでは、ダウンリンク制御情報に加えて、ネットワーク・デバイスは候補タイム・セット内の第1タイム・ユニットの中でダウンリンク・ユーザー・データを送信する。アップリンク情報を送信するためのタイム・ウィンドウの開始時点は第1タイム・ユニットの中にあってもよいので、ダウンリンク・ユーザー・データの送信は、タイム・ウィンドウの中で端末デバイスにより実行されるアップリンク情報の送信と衝突するかもしれない。その結果、ダウンリンク・ユーザー・データの送信は終了又は中断させられ、送信効率は影響を受ける。このケースでは、ネットワーク・デバイスは、タイム・ウィンドウの中でアップリンク情報を送信しないように端末デバイスに指図するために、端末デバイスへ指示情報を送信し、それによりダウンリンク・データの送信との衝突は回避される。
【０１０１】
別のケースでは、タイム・ウィンドウが幾つかのタイム・ユニットを含み、幾つかのタイム・ユニットは、候補タイム・ユニット・セット内で、ダウンリンク・ユーザー・データを送信するためのタイム・ユニットであってもよい。ネットワーク・デバイスは、タイム・ウィンドウ内の一部のタイム・ユニットの中でアップリンク情報を送信しないように端末デバイスに指図するために、指示情報を送信する。このケースでは、端末デバイスは更にタイム・ウィンドウに含まれる幾つかのタイム・ユニットを知る必要がある。例えば、端末デバイスは、タイム・ウィンドウの開始時点を決定し、そして、ネットワーク・デバイスが候補タイム・ユニット・セット内でダウンリンク・ユーザー・データを送信することを止める時点に基づいて、タイム・ウィンドウに含まれる幾つかのタイム・ユニットを決定する。
【０１０２】
更に別のケースでは、ネットワーク・デバイスは、複数の方法で、端末デバイスはタイム・ウィンドウの中でアップリンク情報を送信することを許可されているか否かを更に決定してもよい。例えば、ネットワーク・デバイスが端末デバイスによるアクセスを許可していない場合、ネットワーク・デバイスは、ダウンリンク制御情報の送信が終了した後に、新たなダウンリンク制御情報又はデータを送信し始める必要がある。代替的に、他の理由により、ネットワーク・デバイスはアップリンク情報を送信することを端末デバイスに許可しない。これはここで特に限定されない。
【０１０３】
本発明のこの実施形態において、ネットワーク・デバイスは、複数の位置で、例えば第1タイム・ユニットの中で、或いは第1タイム・ユニット以前のタイム・ユニットの中で指示情報を送信してもよい。
【０１０４】
本発明の別の選択的な実施形態において、ダウンリンク制御情報が送信される時間に基づいてネットワーク・デバイスがアップリンク情報を受信することは、具体的には：ネットワーク・デバイスが、ダウンリンク制御情報が送信される時間に基づいてタイム・ウィンドウを決定すること；及びタイム・ウィンドウの中でアップリンク情報を受信することを含んでもよい。ダウンリンク制御情報が送信される時間に基づいて端末デバイスがタイム・ウィンドウを決定する具体的な実装は、ネットワーク・デバイスにも適用される。詳細については端末デバイスの上記のオペレーションの具体的な説明を参照されたい。
【０１０５】
図7は本発明の実施形態による端末デバイスの可能な概略構造図である。
【０１０６】
端末デバイスは、検出ユニット701と、受信ユニット702と、処理ユニット703と、送信ユニット704とを含み、実際の条件に依存して、図面に示されていないストレージ・ユニットを更に含んでもよい。
【０１０７】
検出ユニット701は、アンライセンス周波数バンドで送信されるダウンリンク制御情報が存在するか否かを検出するように構成される。
【０１０８】
受信ユニット702は、検出ユニット701がダウンリンク制御情報を発見した後に、ダウンリンク制御情報を受信するように構成される。
【０１０９】
ネットワーク・デバイスは、候補タイム・ユニット・セット内の第1タイム・ユニットの中でダウンリンク制御情報を送信し；及び端末デバイスは、候補タイム・ユニット・セット内のダウンリンク制御情報を検出し、第1タイム・ユニットの中でダウンリンク制御情報を受信する。
【０１１０】
具体的には、候補タイム・ユニット・セットは、複数の連続的なタイム・ユニットのうちの少なくとも1つであり、候補タイム・ユニット・セットは複数の連続的なタイム・ユニット内で等間隔である。
【０１１１】
処理ユニット703は、ダウンリンク制御情報が送信される時間に基づいて、アップリンク情報を送信するためのタイム・ウィンドウを決定するように構成される。
【０１１２】
送信ユニット704は、タイム・ウィンドウの中でアップリンク情報を送信するように構成される。
【０１１３】
タイム・ウィンドウの開始時点T1は第1タイム・ユニット又は第2タイム・ユニットの中にあり、第2タイム・ユニットは第1タイム・ユニットの次のタイム・ユニットであり、ダウンリンク制御情報の終了時点はT2である。
【０１１４】
本発明の実施形態で提供されるアンライセンス周波数バンドにおける通信方法によれば、ダウンリンク制御情報の受信とアップリンク情報の送信との間の時間間隔は削減され、アンライセンス周波数バンドにおけるフレーム構造のデザインは不変に維持され、且つアンライセンス周波数バンドでデータを送信する効率が改善される。
【０１１５】
本発明の選択的な実施形態において、検出ユニットの機能は処理ユニット703により実現されてもよいし、或いは検出ユニット701は処理ユニット703に統合される。言い換えれば、端末デバイスは独立した検出ユニット701を含まない。
【０１１６】
以下、ダウンリンク制御情報がDRS信号である例を使用することにより、本発明のこの実施形態で提供される端末デバイスの可能な構造を説明する。当業者は、以下の実施形態は説明のための一例としてDRS信号を単に使用していることを知り得る。しかしながら本発明の保護範囲はダウンリンク制御情報がDRSであるケースに限定されず、本発明の他の部分で言及され且つ本発明の実施形態の条件を満たす任意のタイプのダウンリンク制御情報方式を更に含む。
【０１１７】
本発明の選択的な実施形態において、受信ユニット702は、時点T2でダウンリンク制御情報を受信することを止め、送信ユニット704によりアップリンク情報を送信するためのタイム・ウィンドウの開始時点はT1であり、T1及びT2の間に時間間隔が存在する。時点T1の位置は複数の選択的な実装で設定されてよい。詳細は以下のとおりである。
【０１１８】
ある実装において、時点T1の位置が設定され、それにより端末デバイスはT1及びT2の間の時間間隔の中でダウンリンク・ユーザー・データを受信しない。例えば、ネットワーク・デバイスは時間間隔の中でダウンリンク・ユーザー・データを送信しない；或いは端末デバイスは時間間隔の中でダウンリンク・ユーザー・データを受信せず、それはネットワーク・デバイスがダウンリンク・ユーザー・データを送信していないことと等価である。別の例に関し、1つのダウンリンク・ユーザー・データ送信スケジューリングを実行するのに十分でないT1及びT2の間の時間間隔が設定される。これは、時間間隔が非常に長いので新たなダウンリンク・ユーザー・データが送信されることが許可される場合に、新たなダウンリンク・ユーザー・データが送信され始めることを回避することが可能である。この実装は、端末デバイスがダウンリンク制御情報を受信した後、端末デバイスがアップリンク情報を送信する前に、他のダウンリンク・ユーザー・データ送信が実行されないことを保証し、時間間隔の中でネットワーク・デバイスにより実行されるダウンリンク・ユーザー・データ送信の中断又は終了を回避することが可能であり、これによりアンライセンス周波数バンドでデータを送信する効率を改善する。
【０１１９】
別の実装において、時点T1は第2タイム・ユニットの開始時点である；或いはT2は第1タイム・ユニットの中のn番目のOFDMシンボルであり、T1は第1タイム・ユニットの中の(n+2)番目のOFDMシンボルである。例えば、T2は第1タイム・ユニットの中のn番目のOFDMシンボルの終了時点であり、T1は第1タイム・ユニットの中の(n+2)番目のOFDMシンボルの開始時点である。
【０１２０】
具体的には、ネットワーク・デバイスはサブフレームnでDRSを送信し；検出ユニット701又は処理ユニット703はサブフレームnでDRSを発見し；及び受信ユニット702は時点T2でDRSを受信することを止める。このケースでは、サブフレーム(n+1)の開始時点又はサブフレームnの14番目のシンボルの開始時点が、タイム・ウィンドウの開始時点T1として使用される。この実装では、ダウンリンク制御情報送信中に生じ得る遅延が考慮され、アップリンク情報を送信するためのタイム・ウィンドウの開始時点T1は完全な時間境界から始まることが、保証されることが可能である。
【０１２１】
更に別の実装において、T1は、時点T2の後で、受信/送信の遷移時間のみが満了する時点である。
【０１２２】
本発明の別の選択的な実施形態において、候補タイム・ユニット・セットは、複数の連続的なタイム・ユニットのうちの少なくとも1つであり、候補タイム・ユニット・セットは1つ以上のタイム・ユニットを含んでよい。
【０１２３】
例えば、候補タイム・ユニット・セットが1つのタイム・ユニットを含む場合、ネットワーク・デバイスは、タイム・ユニットの中でダウンリンク制御情報を送信し、検出ユニット701又は処理ユニット703はタイム・ユニットの中でダウンリンク制御情報を発見し、受信ユニット702はダウンリンク制御情報を受信する。
【０１２４】
別の例に関し、候補タイム・ユニット・セットが複数のタイム・ユニットを含む場合、ネットワーク・デバイスは、複数のタイム・ユニットのうちの1つの中でダウンリンク制御情報を送信し、検出ユニット701又は処理ユニット703はダウンリンク制御情報を検出し、受信ユニット702はダウンリンク制御情報を受信する。
【０１２５】
更に、候補タイム・ユニット・セットは複数の連続的なタイム・ユニット内で等間隔であり、即ち候補タイム・ユニット・セットは複数の連続的なタイム・ユニットにおいて周期的に設定される。
【０１２６】
本発明の別の選択的な実施形態において、処理ユニット703は、ダウンリンク制御情報に基づいて、アップリンク情報を送信するためのタイム・ウィンドウを決定し、タイム・ウィンドウの中でアップリンク情報を送信するように送信ユニット704に指図する。アップリンク情報を送信する前に、処理ユニット703は、クリア・チャネル・アセスメントCCAを実行してもよいし、或いはクリア・チャネル・アセスメントCCAを実行しなくてもよい。具体的な実装は以下のようであってもよい。
【０１２７】
ある実装において、時点T2とT1との間の時間間隔は、非常に短いので、別の通信デバイスはアンライセンス周波数バンド・リソースを競合又は先取することはできない。従って、送信ユニット704は、アップリンク情報を送信する前にCCAオペレーションを実行する必要はない。
【０１２８】
別の実装において、処理ユニット703は、送信ユニット704がアップリンク情報を送信する前にCCAを実行する。CCAはタイム・ウィンドウの中で又はタイム・ウィンドウを越えて実行されてもよい。
【０１２９】
例えば、受信ユニット702がダウンリンク制御情報を受信することを止めた後に、処理ユニット703は、タイム・ウィンドウの開始前にCCAオペレーションを完了する。言い換えれば、タイム・ウィンドウの中の時間はCCAオペレーションにより占有されない。
【０１３０】
別の例に関し、処理ユニット703は、タイム・ウィンドウの中でCCAアセスメントを実行し、送信ユニット704は、CCAアセスメントが成功した後にアップリンク情報を送信する。タイム・ウィンドウが複数のタイム・ユニットを含む場合、処理ユニット703は、CCAアセスメントが成功するまで、各タイム・ユニットの開始時点の前又はその時点でCCAアセスメントを実行してもよい。タイム・ウィンドウ内のタイム・ユニットはアイドルであると決定した場合、処理ユニット703はアップリンク情報を送信し始めるように送信ユニット704に指図する。
【０１３１】
本発明の別の選択的な実施形態において、端末デバイスは、タイム・ウィンドウの中でアップリンク情報を送信し、タイム・ウィンドウの開始時点T1及び時間長は複数の方法で設定されてよい。具体的な設定方法については、図3に対応する方法の実施形態の説明を参照されたい。詳細はここで再び記述されない。
【０１３２】
本発明の別の選択的な実施形態において、ネットワーク・デバイスは指示情報を更に送信する。受信ユニット702は指示情報を受信し、処理ユニット703は受信ユニット702から指示情報を取得し、指示情報に基づいて、タイム・ウィンドウの中でアップリンク情報を送信するか否かを送信ユニット704に通知する。指示情報の複数の実装については、図3に対応する方法の実施形態の説明を参照されたい。
【０１３３】
選択的に、アンライセンス周波数バンド・リソースにおける各々の候補タイム・ユニット・セット内で、ネットワーク・デバイスはダウンリンク制御情報のみを送信してもよいし；或いはダウンリンク制御情報及び指示情報を送信してもよいし；或いはダウンリンク制御情報に加えて、或いはダウンリンク制御情報及び指示情報に加えてダウンリンク・ユーザー・データを送信してもよい。候補タイム・ユニット・セットがダウンリンク・ユーザー・データを含む場合、アンライセンス周波数バンドにおけるフレーム構造のデザインに影響を及ぼさないように、ネットワーク・デバイスは、指示情報を利用することにより、タイム・ウィンドウの中でアップリンク情報を送信しないように端末デバイスに指図してもよい。受信ユニット702は指示情報を受信し、処理ユニット703は、受信ユニット702から指示情報を取得し、アップリンク情報を送信するか否かを決定し、アップリンク情報を送信するか否かを送信ユニット704に通知する。
【０１３４】
本発明のこの実施形態で提供される端末デバイスは、ネットワーク・デバイスにより送信されたダウンリンク制御情報を検出し、アップリンク情報を送信するためのタイム・ウィンドウを決定し、アップリンク情報を送信する。本発明のこの実施形態の解決手段によれば、アップリンク情報の送信とダウンリンク制御情報の受信との間の時間間隔は削減され、アンライセンス周波数バンドにおけるフレーム構造のデザインは不変に維持され、且つアンライセンス周波数バンドでデータを送信する効率が改善される。
【０１３５】
本発明のこの実施形態における端末デバイスは、図3に対応する方法の実施形態における方法を実行するように構成されてもよい。端末デバイスがダウンリンク制御情報を受信し、アップリンク情報を送信するためのタイム・ウィンドウを決定し、アップリンク情報を送信する具体的な実装については、方法の実施形態の説明を参照されたい。端末デバイスに含まれる検出ユニット701、受信ユニット702、処理ユニット703、及び送信ユニット704の具体的な機能は、図3に対応する実施形態における機能に対応する。それらの用語及び実装の詳細は方法の実施形態におけるものと同様である。
【０１３６】
実際のアプリケーションでは、この実施形態における端末デバイスの機能ユニットは、対応するハードウェアを利用することにより実現されてもよいし、或いは対応するソフトウェアを実行する対応するハードウェアにより実現されてもよいことに留意すべきである。例えば、受信ユニット702は、受信機のような受信モジュールの機能を実行するハードウェアであってもよいし、或いは上記の機能を実現する対応するコンピュータ・プログラムを実行することが可能な汎用プロセッサ又は別のハードウェア・デバイスであってもよい。別の例に関し、送信ユニット704は、送信機のような送信モジュールの機能を実行するハードウェアであってもよいし、或いは上記の機能を実現する対応するコンピュータ・プログラムを実行することが可能な汎用プロセッサ又は別のハードウェア・デバイスであってもよい。更に別の例に関し、処理ユニット703は、プロセッサのような処理モジュールの機能を実行する独立したハードウェアであってもよいし、或いは上記の機能を実現する対応するコンピュータ・プログラムを実行することが可能な別のハードウェア・デバイスであってもよい。更に、検出ユニット701は、ディテクタのような処理モジュールの機能を実行する独立したハードウェアであってもよい。代替的に、検出ユニットは処理ユニット703に統合されてもよく、検出ユニットの機能は、プロセッサのような処理モジュールの機能を実行するハードウェアにより実現され、検出ユニット701は単独では配置されない。
【０１３７】
この端末デバイスの実施形態は、方法の実施形態におけるものと同じ概念に基づいていており、本発明の方法の実施形態によるものと同じ技術的効果をもたらすことに留意すべきである。具体的な内容については、本発明の方法の実施形態の説明を参照されたい。詳細はここで再び記述されない。
【０１３８】
図8は本発明の実施形態によるネットワーク・デバイスの可能な概略構造図である。
【０１３９】
ネットワーク・デバイスは、送信ユニット801と、処理ユニット802と、受信ユニット803とを含み、実際の条件に依存して、図面に示されていないストレージ・ユニットを更に含んでもよい。
【０１４０】
送信ユニット801は、アンライセンス周波数バンドで設定された候補タイム・ユニット内でダウンリンク制御情報を送信し、ダウンリンク制御情報は端末デバイスにより受信される。送信ユニット801は候補タイム・ユニット・セット内の第1タイム・ユニットの中でダウンリンク制御情報を送信する。
【０１４１】
具体的には、候補タイム・ユニット・セットは複数の連続的なタイム・ユニットのうちの少なくとも1つであり、候補タイム・ユニット・セットは複数の連続的なタイム・ユニット内で等間隔である。
【０１４２】
受信ユニット803は、ダウンリンク制御情報が送信される時間に基づいて、端末デバイスにより送信されたアップリンク情報を受信する。端末デバイスは、ダウンリンク制御情報が送信された時間に基づいて、アップリンク情報を送信するためのタイム・ウィンドウを決定する。タイム・ウィンドウの開始時点T1は第1タイム・ユニット又は第2タイム・ユニットの中にあり、第2タイム・ユニットは第1タイム・ユニットの次のタイム・ユニットであり、ダウンリンク制御情報の終了時点はT2である。
【０１４３】
処理ユニット802は、ダウンリンク制御情報が送信される候補タイム・ユニット・セットを決定し、第1タイム・ユニットを決定する。
【０１４４】
以下、ダウンリンク制御情報がDRS信号である例を使用することにより、本発明のこの実施形態で提供されるネットワーク・デバイスの可能な構造を説明する。当業者は、以下の実施形態は説明のための一例としてDRS信号を単に使用していることを知り得る。しかしながら本発明の保護範囲はダウンリンク制御情報がDRSであるケースに限定されず、本発明の他の部分で言及され且つ本発明の実施形態の条件を満たす任意のタイプのダウンリンク制御情報方式を更に含む。
【０１４５】
本発明の選択的な実施形態において、送信ユニット801は、候補タイム・ユニット・セット内の第1タイム・ユニットの中でダウンリンク制御情報を送信する。端末デバイスは、時点T2でダウンリンク制御情報を受信することを止め(ネットワーク遅延を考慮すると、送信ユニット801がダウンリンク制御情報を送信することを止める時点は、時点T2より僅かに早くてもよく、ここで時点T2は、端末デバイスがダウンリンク制御情報を受信することを止める時点のリファレンスとして使用される)、端末デバイスによりアップリンク情報を送信するためのタイム・ウィンドウの開始時点はT1であり、T1とT2との間に時間間隔が存在する。時点T2のロケーション・デザインについて複数の選択的な実装が存在する。具体的な実装については、図3に対応する方法の実施形態の説明を参照されたい。詳細はここで再び説明されない。
【０１４６】
ネットワーク・デバイスの送信ユニット801はT1とT2との間の時間間隔の中でダウンリンク・ユーザー・データを送信しないことに留意すべきである。例えば、処理ユニット802は、時間間隔が、1つのダウンリンク・ユーザー・データ送信スケジューリングを実行するには充分でないことを送信ユニットに通知し、送信ユニット801はダウンリンク・ユーザー・データを送信しない。別の例に関し、時間間隔が1つのダウンリンク・ユーザー・データ送信スケジューリングを実行するために充分であるか否かを問題とせず、処理ユニット802は、時間間隔の中でダウンリンク・ユーザー・データを送信しないように送信ユニット801に指図し、なぜなら端末デバイスは時間間隔の中でダウンリンク・ユーザー・データを受信しないからである。
【０１４７】
本発明の別の選択的な実施形態において、候補タイム・ユニット・セットは複数の連続的なタイム・ユニットのうちの少なくとも1つであり、候補タイム・ユニット・セットは1つ以上のタイム・ユニットを含んでよい。
【０１４８】
例えば、候補タイム・ユニット・セットが1つのタイム・ユニットである場合、送信ユニット801はタイム・ユニットの中でダウンリンク制御情報を送信する。
【０１４９】
別の例に関し、候補タイム・ユニット・セットが複数のタイム・ユニットを含む場合、処理ユニット802は、複数のタイム・ユニットから1つのタイム・ユニットを決定し、決定したタイム・ユニットの中でダウンリンク制御情報を送信するように送信ユニット801に指図する。
【０１５０】
更に、候補タイム・ユニット・セットは複数の連続的なタイム・ユニット内で等間隔であり、即ち候補タイム・ユニット・セットは複数の連続的なタイム・ユニットにおいて周期的に設定される。
【０１５１】
更に、選択的に、送信ユニット801は指示情報を更に送信し、指示情報は、タイム・ウィンドウの中でアップリンク情報を送信するか否かを端末デバイスに通知するために使用される。具体的には、指示情報は、タイム・ウィンドウが存在するか否かを端末デバイスに指示するため、或いは端末デバイスはタイム・ウィンドウの中でアップリンク情報を送信することを許可されているか否かを指示するために使用されてもよい。指示情報についての以下の複数の実装が存在し得る。具体的な実装については、図3に対応する方法の実施形態の説明を参照されたい。詳細はここで再び説明されない。
【０１５２】
アンライセンス周波数バンド・リソースにおける各々の候補タイム・ユニット・セット内で、処理ユニット802は、ダウンリンク制御情報のみを送信するように；或いはダウンリンク制御情報及び指示情報を送信するように；或いはダウンリンク制御情報に加えて、或いはダウンリンク制御情報及び指示情報に加えてダウンリンク・ユーザー・データを送信するように、送信ユニット801に指図してもよいことに留意すべきである。
【０１５３】
選択的に、候補タイム・ユニット・セットにおいて送信ユニット801により送信される内容がダウンリンク・ユーザー・データを含む場合、アンライセンス周波数バンドにおけるフレーム構造のデザインに影響を及ぼさないように、処理ユニット802は、指示情報を利用することにより、タイム・ウィンドウの中でアップリンク情報を送信しないように端末デバイスに指図してもよい。選択的に、処理ユニット802は、複数の方法で、端末デバイスがタイム・ウィンドウの中でアップリンク情報を送信することを許可されているか否かを更に決定してよい。詳細については、図3に対応する方法の実施形態の説明を参照されたい。詳細はここで再び説明されない。
【０１５４】
本発明のこの実施形態におけるネットワーク・デバイスは、図3に対応する方法の実施形態における方法を実行するように構成されてもよい。ネットワーク・デバイスがダウンリンク制御情報を送信するためのタイム・ユニットを決定し、ダウンリンク制御情報を送信し、端末デバイスが対応するタイム・ウィンドウの中でアップリンク情報を送信することを許可されているか否かを指示する等の具体的な実装については、方法の実施形態の説明を参照されたい。ネットワーク・デバイスに含まれる送信ユニット801、処理ユニット802、受信ユニット803の具体的な機能は、図3に対応する実施形態における機能に対応する。それらの用語及び実装の詳細は方法の実施形態におけるものと同様である。
【０１５５】
実際のアプリケーションでは、この実施形態におけるネットワーク・デバイスの機能ユニットは、対応するハードウェアを利用することにより実現されてもよいし、或いは対応するソフトウェアを実行する対応するハードウェアにより実現されてもよいことに留意すべきである。例えば、送信ユニット801は、送信機のような送信モジュールの機能を実行するハードウェアであってもよいし、或いは上記の機能を実現する対応するコンピュータ・プログラムを実行することが可能な汎用プロセッサ又は別のハードウェア・デバイスであってもよい。別の例に関し、処理ユニット802は、プロセッサのような処理モジュールの機能を実行するハードウェアであってもよいし、或いは上記の機能を実現する対応するコンピュータ・プログラムを実行することが可能な別のハードウェア・デバイスであってもよい。更に別の例に関し、受信ユニット803は、受信機のような受信モジュールの機能を実行するハードウェアであってもよいし、或いは上記の機能を実現する対応するコンピュータ・プログラムを実行することが可能な汎用プロセッサ又は別のハードウェア・デバイスであってもよい。
【０１５６】
このネットワーク・デバイスの実施形態は、方法の実施形態におけるものと同じ概念に基づいていており、本発明の方法の実施形態によるものと同じ技術的効果をもたらすことに留意すべきである。具体的な内容については、本発明の方法の実施形態の説明を参照されたい。詳細はここで再び記述されない。
【０１５７】
本発明の上記全ての実施形態において、タイム・ユニットは、1つの無線フレーム、1つのサブフレーム、1つのタイムスロット、又は1つのシンボルであってもよく、或いは複数の無線フレーム、複数のサブフレーム、複数のタイムスロット、又は複数のシンボルであってもよく、実際の通信システムの条件に応じて柔軟に設計されてよいことに留意すべきである。好ましくは、タイム・ユニットは1つのサブフレームであるかもしれない。タイム・ウィンドウは1つ以上のタイム・ユニットを含んでもよく、端末デバイスは、タイム・ウィンドウに含まれる1つ以上のタイム・ユニットのうちの何れかの中でアップリンク情報を送信する。例えば、タイム・ウィンドウが1つのタイム・ユニットを含む場合、端末デバイスはタイム・ユニットの中でアップリンク情報を送信する。例えば、タイム・ウィンドウが複数のタイム・ユニットを含む場合、端末デバイスは、タイム・ウィンドウ内の1つのタイム・ユニットを決定し、決定されたタイム・ウィンドウの中でアップリンク情報を送信する。端末デバイスは、チャネル・リスニングによりタイム・ウィンドウ内のタイム・ユニットを決定する。そのような方法では、アンライセンス周波数バンド・リソースが先取されたことを端末デバイスが決定した後で、タイム・ウィンドウ内のタイム・ユニットは、タイム・ウィンドウ内の1番目のタイム・ユニットである。選択的に、候補タイム・ユニット・セットにおける各タイム・ユニットの長さは、タイム・ウィンドウ内の各タイム・ユニットの長さと同一であってもよいし或いは異なっていてもよい。
【０１５８】
更に、本発明の上記全ての実施形態において、ネットワーク・デバイスが第1タイム・ユニットの中でダウンリンク制御情報を送信することは：ネットワーク・デバイスが、ダウンリンク制御情報を送信するために使用される第1タイム・ユニットにおける時間範囲の中でダウンリンク制御情報を送信することを含んでよいことに留意すべきである。例えば、第1タイム・ユニットが1つのサブフレームである場合、ダウンリンク制御情報を送信するために使用される第1タイム・ユニットにおける時間範囲に対応する時間長は、1msであってもよいし、或いは1ms未満であってもよい。
【０１５９】
明細書全体で言及される「一実施形態」、「実施形態」又は「本発明の実施形態」は、実施形態に関連する特定の特色、構造又は特徴が、本発明の少なくとも1つの実施形態に含まれることを意味することが、理解されるべきである。従って、明細書全体を通じて登場する「一実施形態において」、「実施形態において」又は「本発明の実施形態において」は、必ずしも同じ実施形態を意味していない。更に、特定の特色、構造又は特徴は、適切な任意の方法で1つ以上の実施形態において組み合わせられてよい。
【０１６０】
上記プロセスのシーケンス番号は本発明の様々な実施形態における実行順序を意味しないことが理解されるべきである。プロセスの実行順序はプロセスの機能及び内部論理に基づいて決定されるべきであり、本発明の実施形態の実装プロセスにおける何らかの限定として解釈されるべきでない。
【０１６１】
本発明の実施形態におけるプロセッサは、中央処理ユニット(CPU)、汎用プロセッサ、ディジタル信号プロセッサ(DSP)、特定用途向け集積回路(ASIC)、フィールド・プログラマブル・ゲート・アレイ(FPGA)又は別のプログラム可能な論理デバイス、トランジスタ論理デバイス、ハードウェア・コンポーネント、又はそれらの任意の組み合わせであってもよい。プロセッサは、本発明で開示される内容に関連して説明される様々な例示的な論理ブロック、モジュール及び回路を実現又は実行することが可能である。プロセッサは、代替的に、コンピューティング機能を実現する組み合わせ、例えば1つ以上のマイクロプロセッサの組み合わせ、又はDSP及びマイクロプロセッサの組み合わせであってもよい。
【０１６２】
端末デバイス又はネットワーク・デバイスに関し、送信機、受信機及びプロセッサの機能は、本発明の実施形態で提供される通信方法のプロシジャを実行する機能において協働することに限定されないこと、及び端末デバイス又はネットワーク・デバイスにより実行される他の機能、例えば基本通信機能及び様々なアプリケーション・プログラムを実行することにおいて更に協働してもよいことを、当業者は知り得る。詳細はここでは説明されない。
【０１６３】
本願の実施形態において、「Aに対応するB」は、BがAに関連付けられること、BはAに応じて決定されてよいことを示すことが、理解されるべきである。しかしながら、Aに応じてBを決定することは、BがAのみに応じて決定されることを意味せず、BはA及び/又は他の情報に応じて決定されてよいことも理解されるべきである。
【０１６４】
本発明で開示される内容に関して説明される方法ステップは、ハードウェアを利用することにより実現されてもよいし、或いはソフトウェア命令を実行するプロセッサにより実現されてもよい。ソフトウェア命令は、対応するソフトウェア・モジュールを含んでもよい。ソフトウェア・モジュールは、RAMメモリ、フラッシュ・メモリ、ROMメモリ、EPROMメモリ、EEPROMメモリ、レジスタ、ハード・ディスク、リムーバブル・ハード・ディスク、CD-ROMメモリ、又は当該技術分野で周知の他の任意の形式の記憶媒体に保存されてもよい。一例として使用される記憶媒体はプロセッサに結合され、それによりプロセッサは、記憶媒体から情報を読み込むことが可能であり、情報を記憶媒体に書き込むことが可能である。確かに、記憶媒体はプロセッサの一部であってもよい。プロセッサ及び記憶媒体は、特定用途向け集積回路(ASIC)に配置されてもよい。更に、ASICは端末デバイス又はネットワーク・デバイスに配置されてもよい。確かに、プロセッサ及び記憶媒体は、端末デバイス又はネットワーク・デバイス内で個別アセンブリとして存在してもよい。
【０１６５】
本発明の目的、技術的解決手段、及び有利な効果が上記の具体的な実装において詳細に更に説明されている。上記の説明は、本発明の単なる具体的な実装であり、本発明の保護範囲を限定するようには意図されていないことが、理解されるべきである。本発明の技術的解決手段に基づいて行われる任意の変形、等価な置換又は改良は、本発明の保護範囲内に含まれる。
【０１６６】
上記はネットワーク・エレメント間のインタラクションの観点から本発明の実施形態で提供される解決手段を主に説明している。上記の機能を実現するために、UE、基地局、及びコア・ネットワーク・エンティティのような様々なネットワーク・エレメントは、各機能を実行するための対応するハードウェア構造及び/又はソフトウェア・モジュールを含むことが、理解され得る。本明細書で開示される実施形態に関連して説明される具体例におけるユニット及びアルゴリズム・ステップは、ハードウェア、又はハードウェア及びコンピュータ・ソフトウェアの組み合わせにより実現されてよいことに、当業者は容易に気付くはずである。機能がハードウェア又はハードウェアを駆動させるコンピュータ・ソフトウェアにより実行されるか否かは、特定のアプリケーション及び技術的解決手段の設計制約条件に依存する。当業者は、説明された機能を各々の特定のアプリケーションに関して実現するように様々な方法を使用してもよいが、実装が本発明の範囲を超えるように考えられるべきではない。
【０１６７】
統合されたユニットが、ソフトウェア機能ユニットの形式で実現され、独立した製品として販売又は使用される場合、統合されたユニットはコンピュータ読み取り可能な記憶媒体に保存されてもよい。そのような理解に基づいて、本発明の技術的な解決手段は本質的に、又は従来技術に寄与する部分、又は技術的解決手段の一部は、ソフトウェア製品の形式で実現されてもよい。コンピュータ・ソフトウェア製品は、記憶媒体に保存され、及び本発明の実施形態で説明される方法のステップの全部又は一部を実行することをコンピュータ・デバイス(パーソナル・コンピュータ、サーバー、ネットワーク・デバイス等であってもよい)に指図する幾つかの命令を含む。上記の記憶媒体は：USBフラッシュ・ドライブ、リムーバブル・ハード・ディスク、リード・オンリ・メモリ(Read-Only  Memory：ROM)、ランダム・アクセス・メモリ(Random  Access  Memory：RAM)、磁気ディスク、又は光ディスクのようなプログラム・コードを保存することが可能な任意の媒体を含む。
【０１６８】
上記の説明は本発明の単なる具体的な実装であり、本発明の保護範囲を限定するようには意図されていない。本発明で開示される技術的範囲内で当業者により容易に理解される任意の変形又は置換は、本発明の保護範囲内に含まれる。従って、本発明の保護範囲は請求項の保護範囲に依存する。
【図１】
2019523587.tif 000003
【図２】
2019523587.tif 000004
【図３】
2019523587.tif 000005
【図４】
2019523587.tif 000006
【図５−１】
2019523587.tif 000007
【図５−２】
2019523587.tif 000008
【図５−３】
2019523587.tif 000009
【図６−１】
2019523587.tif 000010
【図６−２】
2019523587.tif 000011
【図７】
2019523587.tif 000012
【図８】
2019523587.tif 000013
【手続補正書】
【提出日】平成31年1月25日(2019.1.25)
【手続補正１】
【補正対象書類名】特許請求の範囲
【補正対象項目名】全文
【補正方法】変更
【補正の内容】
【特許請求の範囲】
【請求項１】
アンライセンス周波数バンドにおける通信方法であって：
端末デバイスが、ネットワーク・デバイスにより送信されたダウンリンク制御情報を受信するステップであって、前記ダウンリンク制御情報は候補タイム・ユニット・セット内の第1タイム・ユニットの中にあり、前記候補タイム・ユニット・セットは複数の連続的なタイム・ユニットのうちの少なくとも1つであり、及び前記候補タイム・ユニット・セットは前記複数の連続的なタイム・ユニット内で等間隔である、ステップ；
前記端末デバイスが、前記ダウンリンク制御情報が送信される時間に基づいて、アップリンク情報を送信するためのタイム・ウィンドウを決定するステップ；及び
前記端末デバイスが、前記タイム・ウィンドウの中で前記アップリンク情報を送信するステップ；
を有し、前記タイム・ウィンドウの開始時点T1は前記第1タイム・ユニット又は第2タイム・ユニットの中にあり、及び前記第2タイム・ユニットは前記第1タイム・ユニットの次のタイム・ユニットである、方法。
【請求項２】
前記ダウンリンク制御情報の終了時点がT2であり、前記方法は、更に：
前記端末デバイスが、T1及びT2の間の時間間隔の中でダウンリンク・ユーザー・データを受信することをスキップするステップ；
を有する請求項1に記載の方法。
【請求項３】
前記タイム・ウィンドウの前記開始時点T1が前記第2タイム・ユニットの開始時点である；或いは
前記ダウンリンク制御情報の終了時点T2が前記第1タイム・ユニットの中のn番目のOFDMシンボルであり、及び前記タイム・ウィンドウの前記開始時点T1が前記第1タイム・ユニットの中の(n+2)番目のOFDMシンボルである、請求項1又は2に記載の方法。
【請求項４】
前記ダウンリンク制御情報の終了時点がT2であり；及び
T1及びT2の間の時間間隔Tが受信/送信の遷移時間である、請求項1に記載の方法。
【請求項５】
前記端末デバイスが、前記タイム・ウィンドウの中で前記アップリンク情報を送信する前記ステップが：
クリア・チャネル・アセスメント(CCA)を実行するステップ；及び
前記CCAアセスメントが成功した後に、前記アップリンク情報を送信するステップ；
を有する、請求項1ないし4のうちの何れか一項に記載の方法。
【請求項６】
前記ダウンリンク制御情報は、ディスカバリ・リファレンス信号(DRS)及び/又は共通制御情報を有する、請求項1ないし5のうちの何れか一項に記載の方法。
【請求項７】
前記アップリンク情報は：
ランダム・アクセス・プロセスにおけるアップリンク情報、
アップリンク送信スケジューリング・リクエスト(SR)、
サウンディング・リファレンス信号(SRS)、及び
周期的なチャネル状態情報(P-CSI)
のうちの1つ以上を有する、請求項1ないし6のうちの何れか一項に記載の方法。
【請求項８】
前記端末デバイスが指示情報を受信するステップであって、前記指示情報は、前記タイム・ウィンドウが存在するか否かを前記端末デバイスに指示する、或いは前記端末デバイスは前記タイム・ウィンドウの中で前記アップリンク情報を送信することを許可されているか否かを指示するために使用される、ステップを更に有する請求項1ないし7のうちの何れか一項に記載の方法。
【請求項９】
前記ネットワーク・デバイスにより送信されるダウンリンク・ユーザー・データが前記第1タイム・ユニットに存在する場合、前記指示情報は、前記タイム・ウィンドウは存在しないこと、或いは前記アップリンク情報は前記タイム・ウィンドウの中で送信されることを許可されていないことを指示する、請求項8に記載の方法。
【請求項１０】
前記タイム・ユニットはサブフレームである、請求項1ないし9のうちの何れか一項に記載の方法。
【請求項１１】
アンライセンス周波数バンドにおける通信方法であって：
ネットワーク・デバイスが、第1タイム・ユニットの中でダウンリンク制御情報を送信するステップであって、前記第1タイム・ユニットは候補タイム・ユニット・セットにおいて構成され、前記候補タイム・ユニット・セットは複数の連続的なタイム・ユニットのうちの少なくとも1つであり、及び前記候補タイム・ユニット・セットは前記複数の連続的なタイム・ユニット内で等間隔である、ステップ；及び
前記ネットワーク・デバイスが、前記ダウンリンク制御情報が送信される時間に基づいて、アップリンク情報を受信するステップであって、前記アップリンク情報はタイム・ウィンドウの中にある、ステップ；
を有し、前記タイム・ウィンドウの開始時点T1は前記第1タイム・ユニット又は第2タイム・ユニットの中にあり、及び前記第2タイム・ユニットは前記第1タイム・ユニットの次のタイム・ユニットである、方法。
【請求項１２】
前記ダウンリンク制御情報の終了時点がT2であり、前記方法は、更に：
前記ネットワーク・デバイスが、T1及びT2の間の時間間隔の中でダウンリンク・ユーザー・データを送信することをスキップするステップ；
を有する請求項11に記載の方法。
【請求項１３】
前記タイム・ウィンドウの前記開始時点T1が前記第2タイム・ユニットの開始時点である；或いは
前記ダウンリンク制御情報の終了時点T2が前記第1タイム・ユニットの中のn番目のOFDMシンボルであり、前記タイム・ウィンドウの前記開始時点T1が前記第1タイム・ユニットの中の(n+2)番目のOFDMシンボルである、請求項11又は12に記載の方法。
【請求項１４】
前記ダウンリンク制御情報の終了時点がT2であり；及び
T1及びT2の間の時間間隔Tが受信/送信の遷移時間である、請求項11に記載の方法。
【請求項１５】
前記ダウンリンク制御情報は、ディスカバリ・リファレンス信号(DRS)及び/又は共通制御情報を有する、請求項11ないし14のうちの何れか一項に記載の方法。
【請求項１６】
前記アップリンク情報は、ランダム・アクセス・プロセスにおけるアップリンク情報、サウンディング・リファレンス信号(SRS)、アップリンク送信スケジューリング・リクエスト(SR)、及び周期的なチャネル状態情報(P-CSI)のうちの1つ以上を有する、請求項11ないし15のうちの何れか一項に記載の方法。
【請求項１７】
前記ネットワーク・デバイスが指示情報を送信するステップであって、前記指示情報は、前記タイム・ウィンドウが存在するか否かを端末デバイスに指示する、或いは前記端末デバイスは前記タイム・ウィンドウの中で前記アップリンク情報を送信することを許可されているか否かを指示するために使用される、ステップを有する請求項11ないし16のうちの何れか一項に記載の方法。
【請求項１８】
前記ネットワーク・デバイスが、前記第1タイム・ユニットの中でダウンリンク・ユーザー・データを送信する場合、前記指示情報は、前記タイム・ウィンドウは存在しないこと、或いは前記端末デバイスは前記タイム・ウィンドウの中で前記アップリンク情報を送信することを許可されていないことを前記端末デバイスに指示する、請求項17に記載の方法。
【請求項１９】
前記タイム・ユニットはサブフレームである、請求項11ないし18のうちの何れか一項に記載の方法。
【請求項２０】
端末デバイスであって：
ネットワーク・デバイスにより送信されたダウンリンク制御情報を受信するように構成される受信ユニットであって、前記ダウンリンク制御情報は候補タイム・ユニット・セット内の第1タイム・ユニットの中にあり、前記候補タイム・ユニット・セットは複数の連続的なタイム・ユニットのうちの少なくとも1つであり、及び前記候補タイム・ユニット・セットは前記複数の連続的なタイム・ユニット内で等間隔である、受信ユニット；
前記ダウンリンク制御情報が送信される時間に基づいて、アップリンク情報を送信するためのタイム・ウィンドウを決定するように構成される処理ユニット；及び
前記タイム・ウィンドウの中で前記アップリンク情報を送信するように構成される送信ユニット；
を有し、前記タイム・ウィンドウの開始時点T1は前記第1タイム・ユニット又は第2タイム・ユニットの中にあり、及び前記第2タイム・ユニットは前記第1タイム・ユニットの次のタイム・ユニットである、端末デバイス。
【請求項２１】
前記ダウンリンク制御情報の終了時点がT2であり；及び
前記受信ユニットは、T1及びT2の間の時間間隔の中でダウンリンク・ユーザー・データを受信することをスキップする、請求項20に記載の端末デバイス。
【請求項２２】
前記タイム・ウィンドウの前記開始時点T1が前記第2タイム・ユニットの開始時点である；或いは
前記ダウンリンク制御情報の終了時点T2が前記第1タイム・ユニットの中のn番目のOFDMシンボルであり、及び前記タイム・ウィンドウの前記開始時点T1が前記第1タイム・ユニットの中の(n+2)番目のOFDMシンボルである、請求項20又は21に記載の端末デバイス。
【請求項２３】
前記ダウンリンク制御情報の終了時点がT2であり；及び
T1及びT2の間の時間間隔Tが受信/送信の遷移時間である、請求項20に記載の端末デバイス。
【請求項２４】
前記処理ユニットは、クリア・チャネル・アセスメント(CCA)を実行するように構成され；及び
前記送信ユニットは、前記CCAアセスメントが成功した後に、前記アップリンク情報を送信するように構成される、請求項20ないし23のうちの何れか一項に記載の端末デバイス。
【請求項２５】
前記ダウンリンク制御情報は、ディスカバリ・リファレンス信号(DRS)及び/又は共通制御情報を有する、請求項20ないし24のうちの何れか一項に記載の端末デバイス。
【請求項２６】
前記アップリンク情報は、ランダム・アクセス・プロセスにおけるアップリンク情報、アップリンク送信スケジューリング・リクエスト(SR)、サウンディング・リファレンス信号(SRS)、及び周期的なチャネル状態情報(P-CSI)のうちの1つ以上を有する、請求項20ないし25のうちの何れか一項に記載の端末デバイス。
【請求項２７】
前記受信ユニットが指示情報を更に受信し、前記指示情報は、前記タイム・ウィンドウが存在するか否かを前記端末デバイスに指示する、或いは前記端末デバイスは前記タイム・ウィンドウの中で前記アップリンク情報を送信することを許可されているか否かを指示するために使用される、請求項20ないし26のうちの何れか一項に記載の端末デバイス。
【請求項２８】
前記ネットワーク・デバイスにより送信されるダウンリンク・ユーザー・データが前記第1タイム・ユニットに存在する場合、前記指示情報は、前記タイム・ウィンドウは存在しないこと、或いは前記アップリンク情報は前記タイム・ウィンドウの中で送信されることを許可されていないことを指示する、請求項27に記載の端末デバイス。
【請求項２９】
前記タイム・ユニットはサブフレームである、請求項20ないし28のうちの何れか一項に記載の端末デバイス。
【請求項３０】
ネットワーク・デバイスであって：
第1タイム・ユニットの中でダウンリンク制御情報を送信するように構成される送信ユニットであって、前記第1タイム・ユニットは候補タイム・ユニット・セットにおいて構成され、前記候補タイム・ユニット・セットは複数の連続的なタイム・ユニットのうちの少なくとも1つであり、及び前記候補タイム・ユニット・セットは前記複数の連続的なタイム・ユニット内で等間隔である、送信ユニット；及び
前記ダウンリンク制御情報が送信される時間に基づいて、アップリンク情報を受信するように構成される受信ユニットであって、前記アップリンク情報はタイム・ウィンドウの中にある、受信ユニット；
を有し、前記タイム・ウィンドウの開始時点T1は前記第1タイム・ユニット又は第2タイム・ユニットの中にあり、及び前記第2タイム・ユニットは前記第1タイム・ユニットの次のタイム・ユニットである、ネットワーク・デバイス。
【請求項３１】
前記ダウンリンク制御情報の終了時点がT2であり；及び
前記送信ユニットは、T1及びT2の間の時間間隔の中でダウンリンク・ユーザー・データを送信することをスキップする、請求項30に記載のネットワーク・デバイス。
【請求項３２】
前記タイム・ウィンドウの前記開始時点T1が前記第2タイム・ユニットの開始時点である；或いは
前記ダウンリンク制御情報の終了時点T2が前記第1タイム・ユニットの中のn番目のOFDMシンボルであり、前記タイム・ウィンドウの前記開始時点T1が前記第1タイム・ユニットの中の(n+2)番目のOFDMシンボルである、請求項30又は31に記載のネットワーク・デバイス。
【請求項３３】
前記ダウンリンク制御情報の終了時点がT2であり；及び
T1及びT2の間の時間間隔Tが受信/送信の遷移時間である、請求項30に記載のネットワーク・デバイス。
【請求項３４】
前記ダウンリンク制御情報は、ディスカバリ・リファレンス信号(DRS)及び/又は共通制御情報を有する、請求項30ないし33のうちの何れか一項に記載のネットワーク・デバイス。
【請求項３５】
前記アップリンク情報は、ランダム・アクセス・プロセスにおけるアップリンク情報、サウンディング・リファレンス信号(SRS)、アップリンク送信スケジューリング・リクエスト(SR)、及び周期的なチャネル状態情報(P-CSI)のうちの1つ以上を有する、請求項30ないし34のうちの何れか一項に記載のネットワーク・デバイス。
【請求項３６】
前記送信ユニットは指示情報を送信するように更に構成され、前記指示情報は、前記タイム・ウィンドウが存在するか否かを端末デバイスに指示する、或いは前記端末デバイスは前記タイム・ウィンドウの中で前記アップリンク情報を送信することを許可されているか否かを指示するために使用される、請求項30ないし35のうちの何れか一項に記載のネットワーク・デバイス。
【請求項３７】
前記送信ユニットが、前記第1タイム・ユニットの中でダウンリンク・ユーザー・データを送信する場合、前記指示情報は、前記タイム・ウィンドウは存在しないこと、或いは前記端末デバイスは前記タイム・ウィンドウの中で前記アップリンク情報を送信することを許可されていないことを前記端末デバイスに指示する、請求項36に記載のネットワーク・デバイス。
【請求項３８】
前記タイム・ユニットはサブフレームである、請求項30ないし37のうちの何れか一項に記載のネットワーク・デバイス。
【請求項３９】
端末デバイスであって：
ネットワーク・デバイスにより送信されたダウンリンク制御情報を受信するように構成される受信機であって、前記ダウンリンク制御情報は候補タイム・ユニット・セット内の第1タイム・ユニットの中にあり、前記候補タイム・ユニット・セットは複数の連続的なタイム・ユニットのうちの少なくとも1つであり、及び前記候補タイム・ユニット・セットは前記複数の連続的なタイム・ユニット内で等間隔である、受信機；
前記ダウンリンク制御情報が送信される時間に基づいて、アップリンク情報を送信するためのタイム・ウィンドウを決定するように構成されるプロセッサ；及び
前記タイム・ウィンドウの中で前記アップリンク情報を送信するように構成される送信機；
を有し、前記タイム・ウィンドウの開始時点T1は前記第1タイム・ユニット又は第2タイム・ユニットの中にあり、及び前記第2タイム・ユニットは前記第1タイム・ユニットの次のタイム・ユニットである、端末デバイス。
【請求項４０】
ネットワーク・デバイスであって：
第1タイム・ユニットの中でダウンリンク制御情報を送信するように構成される送信機であって、前記第1タイム・ユニットは候補タイム・ユニット・セットにおいて構成され、前記候補タイム・ユニット・セットは複数の連続的なタイム・ユニットのうちの少なくとも1つであり、及び前記候補タイム・ユニット・セットは前記複数の連続的なタイム・ユニット内で等間隔である、送信機；及び
前記ダウンリンク制御情報が送信される時間に基づいて、アップリンク情報を受信するように構成される受信機であって、前記アップリンク情報はタイム・ウィンドウの中にある、受信機；
を有し、前記タイム・ウィンドウの開始時点T1は前記第1タイム・ユニット又は第2タイム・ユニットの中にあり、及び前記第2タイム・ユニットは前記第1タイム・ユニットの次のタイム・ユニットである、ネットワーク・デバイス。
【請求項４１】
コンピュータにより実行される場合に、請求項1ないし10のうち何れか一項に記載の方法を前記コンピュータに実行させる命令を有するコンピュータ読み取り可能な記憶媒体。
【請求項４２】
コンピュータにより実行される場合に、請求項11ないし19のうち何れか一項に記載の方法を前記コンピュータに実行させる命令を有するコンピュータ読み取り可能な記憶媒体。
【請求項４３】
請求項1ないし10のうち何れか一項又は請求項11ないし19のうち何れか一項に記載の方法をコンピュータに実行させるプログラム。
【手続補正２】
【補正対象書類名】明細書
【補正対象項目名】００４９
【補正方法】変更
【補正の内容】
【００４９】
本発明における解決手段は、ワイヤレス通信システムに適用され、特に、通信にアンライセンス周波数バンドを使用するLTEシステム、例えばライセンス・アシスト・アクセスLAA-LTE(LAA-LTE)システム、デュアル・コネクティビティ(Dual  Connectivity：DC)に基づくLTEシステム、及びアンライセンス・スペクトルシステムにおけるスタンドアローンLTE(standalone  LTE  in  unlicensed  spectrum：スタンドアローンLTE-U)に適用される。一例としてLAA-LTEシステムを使用した場合の特定の状況が図1に示されている。キャリア・アグリゲーション(Carrier  Aggregation：CA)技術を使用することにより、LTEデバイスは、ライセンス周波数バンド・キャリアをプライマリ・コンポーネント・キャリア(Primary  Component  Carrier：PCC)として使用し、アンライセンス周波数バンド・キャリアをセカンダリ・コンポーネント・キャリア(Secondary  Component  Carrier：SCC)又はセカンダリ・サービング・セル(Secondary  Cell：SCell)として使用してもよい。このように、LTEデバイスは、ライセンス周波数バンド・キャリアを利用することにより従来のワイヤレス通信の長所を取得し、及びライセンス周波数バンド・キャリアの負荷を減らすために、アンライセンス周波数バンド・キャリアを利用することによりオフロードを実現することが可能である。アンライセンス周波数バンド・リソースを使用する場合、LAA-LTEシステムは、アンライセンス周波数バンドの使用仕様に従う必要がある。特定のネットワーク・アーキテクチャにおいて、ライセンス周波数バンド、ライセンス周波数バンド・キャリア、又はライセンス周波数バンドで動作するセルはプライマリ・サービング・セルとして使用され、アンライセンス周波数バンド、アンライセンス周波数バンド・キャリア、又はアンライセンス周波数バンドで動作するセルはセカンダリ・サービング・セルとして使用される。プライマリ/サービング・セル及びセカンダリ・サービング・セルは同じサイトに配備されてもよいし、或いは異なるサイトに配備されてもよい。2つのセルの間には理想的なバックホール経路が存在する。
【手続補正３】
【補正対象書類名】明細書
【補正対象項目名】００５１
【補正方法】変更
【補正の内容】
【００５１】
本発明で言及されるネットワーク・デバイスは、端末デバイスを除く全てのネットワーク側のエレメントを含み、基地局、セル、アクセス・ポイント、コア・ネットアワー区、又はアクセス・ネットワーク・エレメントであってもよい。基地局は、受信したオーバー・ザ・エアー・フレームとIPパケットとの間の相互通信を実行し、ワイヤレス端末とアクセス・ネットワークの残りの部分との間のルーターとして役立つように構成されてもよく、アクセス・ネットワークの残りの部分はインターネット・プロトコル(IP)ネットワークを含んでもよい。基地局は、エアー・インターフェースの属性管理を更に統合してもよい。例えば、基地局は、モバイル通信のためのグローバル・システム(Global  System  for  Mobile  communications：GSM)又は符号分割多重アクセス(Code  Division  Multiple  Access：CDMA)システムにおける基地局であってもよいし、ワイドバンド符号分割多重アクセス(Wideband  Code  Division  Multiple  Access  Wireless：WCDMA)システムにおけるノードB(NodeB)であってもよいし、或いはLTEにおけるエボルブドNodeB(evolved  Node  B：eNB又はe-Node)であってもよい。セルは基地局に対応するセルであってもよく、セルはマクロ基地局に属していてもよいし、或いはスモール・セル(small  cell)に対応する基地局に属していてもよい。ここで、スモール・セルは、メトロ・セル(Metro  cell)、ミクロ・セル(Micro  cell)、ピコ・セル(Pico  cell)、フェムト・セル(Femto  cell)等を含んでよい。これらのスモール・セルは、小さなカバレッジ・エリア及び低送信電力により特徴付けられ、高速データ送信サービスに適用可能である。本発明の実施形態は、上記のネットワーク・デバイスに限定されず、本発明の実施形態で提供される解決手段を実現することが可能な別のネットワーク・デバイスを更に含んでもよい。
【手続補正４】
【補正対象書類名】明細書
【補正対象項目名】００５２
【補正方法】変更
【補正の内容】
【００５２】
本発明で言及される端末デバイスは、ユーザーに音声及び/又はデータ接続を提供するデバイス、ワイヤレス・コネクション機能を有する携帯デバイス、又はワイヤレス・モデムに接続される別の処理デバイスであってもよい。ワイヤレス・デバイス又はユニットは、モバイル・フォン(又は「セルラー」フォンのように言及される)のようなモバイル端末、又はモバイル端末を有するコンピュータのであってもよい。例えば、モバイル端末は、ポータブル、ポケット・サイズ、ハンドヘルド、コンピュータ内蔵、又は車載のモバイル装置であってもよく、音声及び/又はデータを無線アクセス・ネットワークとやり取りする。例えば、モバイル端末は、パーソナル通信サービス(Personal  Communication  Service：PCS)フォン、コードレス電話セット、セッション・イニシエーション・プロトコル(SIP)電話セット、ワイヤレス・ローカル・ループ(Wireless  Local  Loop：WLL)ステーション、又はパーソナル・ディジタル・アシスタント(Personal  Digital  Assistant：PDA)のようなデバイスであってもよい。ワイヤレス端末は、システム、加入者ユニット(Subscriber  Unit)、加入者ステーション(Subscriber  Station)、モバイル・ステーション(Mobile  Station)、モバイル・コンソール、リモート・ステーション(Remote  Station)、アクセス・ポイント(Access  Point)、リモート端末(Remote  Terminal)、アクセス端末(an  access  terminal)、ユーザー端末(User  Terminal)、ユーザー・エージェント(User  Agent)、ユーザー・デバイス(User  Device)、又はユーザー装置(User  Equipment)として言及されてもよい。端末デバイスは、リレー(Relay)を更に含んでもよい。基地局とデータ通信を実行することが可能なデバイスは、端末デバイスとして考えられてよい。好ましくは、本発明における端末デバイスは、代替的に、非無線リソース・コネクション状態における端末デバイスであってもよい。これは本発明の実施形態で特に限定されない。
【手続補正５】
【補正対象書類名】明細書
【補正対象項目名】００５５
【補正方法】変更
【補正の内容】
【００５５】
アンライセンス周波数バンド・リソースをより効率的に利用するため、非固定フレーム構造が、アンライセンス周波数バンドでのデータの送信に適用される。アンライセンス周波数バンドが先取された後、基地局又はセルのようなネットワーク・デバイスは、ダウンリンク・サービス負荷及び/又はアップリンク・サービス負荷又は別の要因に基づいて、ダウンリンク・ユーザー・データ送信持続時間及び/又はアップリンク・データ送信持続時間を決定してもよく、及びアンライセンス周波数バンド・リソースの利用を改善するように、サービス条件に応じてアンライセンス周波数バンドにおけるアップリンク及びダウンリンク送信のモードを調整してもよい。更に、アンライセンス周波数バンド・リソースの利用は、最大チャネル占有時間(Maximum  Channel  Occupancy  Time：MCOT)により制限される。1つの連続するダウンリンク・ユーザー・データ送信の持続時間はMCOTより大きくなることはできず、1つの連続するアップリンク・データ送信の持続時間はMCOTより大きくなることはできず、或いは1つの連続するダウンリンク・ユーザー・データ送信の持続時間及び1つの連続するアップリンク・データ送信の持続時間はMCOTより大きくなることはできない。ここで、MOCTは、アンライセンス周波数バンド・リソースを先取した後に、ネットワーク・デバイス又は端末デバイスが、アンライセンス周波数バンド・リソースの利用可能性に対応する最大時間長を評価することなく、先取したアンライセンス周波数バンド・リソースでデータ送信を実行してよいことを意味する。各々の送信機会(Transmission  Opportunity：TxOP)に含まれるダウンリンク・データ・バースト及び/又はアップリンク・データ・バーストを含む部分は、フレーム構造として理解されてよい。異なるTXOPは異なるフレーム構造を含んでもよく、TXOPでの送信持続時間はMCOTより大きくない。
【手続補正６】
【補正対象書類名】明細書
【補正対象項目名】００６５
【補正方法】変更
【補正の内容】
【００６５】
具体的には、アンライセンス周波数バンドは時間ドメインで複数の連続的なタイム・ユニットに分割されてもよく、タイム・ユニットはサブフレームであってもよい。候補タイム・ユニット・セットは、例えば、6つの候補タイム・ユニットを含んでもよく、40個の連続的なタイム・ユニット毎に1つの候補タイム・ユニット・セットが存在する。ネットワーク・デバイスは、候補ユニット・セットに含まれる6つのタイム・ユニットで連続的にCCAを実行し、CCAが成功した後にダウンリンク制御情報を送信する。ダウンリンク制御情報が実際に送信されるタイム・ユニットは、第1タイム・ユニットである。ネットワーク・デバイスが、候補ユニット・セットの6つのタイム・ユニットの中でダウンリンク制御情報を送信する機会を有しない場合(例えば、CCAが失敗した場合)、ネットワーク・デバイスは次の候補タイム・ユニット・セットでダウンリンク制御情報を送信することを試みる必要がある。
【手続補正７】
【補正対象書類名】明細書
【補正対象項目名】００８１
【補正方法】変更
【補正の内容】
【００８１】
例えば、ダウンリンク制御情報がDRSである場合、DRSメジャーメント時間設定(Discovery  Measurement  Time  Configuration：DMTC)に対応する周期的なタイム・ウィンドウが、DRSを送信するために使用されてもよい。ネットワーク・デバイスは、CCAによりDRS送信位置を決定し、DRSを送信する。DMTCは、長さが6ms、即ち6サブフレームである時間期間であってもよいし；或いはDMTCは例えば時間期間の長さが1msないし10msの範囲、即ち1サブフレームないし10サブフレームの範囲に及ぶ設定可能な時間期間である。各サブフレームはDRSを送信するために使用されてもよく、DRSを送信するために使用されてよい位置は、各サブフレームの12シンボルを占める。
【手続補正８】
【補正対象書類名】明細書
【補正対象項目名】００９１
【補正方法】変更
【補正の内容】
【００９１】
別の例に関し、時点T1はシグナリングを使用することにより設定される。シグナリングは、無線リソース・コントロール(Radio  Resource  Control：RRC)シグナリング、媒体アクセス制御(Media  Access  Control：MAC)シグナリング、又は物理レイヤ・シグナリングであってもよい。更に、シグナリングは、RRCシグナリングにおけるブロードキャスト・シグナリングであってもよいし；物理レイヤ共通制御シグナリングであってもよいし；システム内の一部の端末デバイスに対してのみ有効な、RRCシグナリングのグループ・ブロードキャスト・シグナリングであってもよいし；或いはシステム内の一部の端末デバイスに対してのみ有効な、物理レイヤ・グループ共通制御シグナリングであってもよい。
【手続補正９】
【補正対象書類名】明細書
【補正対象項目名】０１３６
【補正方法】変更
【補正の内容】
【０１３６】
実際のアプリケーションでは、この実施形態における端末デバイスの機能ユニットは、対応するハードウェアを利用することにより実現されてもよいし、或いは対応するソフトウェアを実行する対応するハードウェアにより実現されてもよいことに留意すべきである。例えば、受信ユニット702は、受信機のような受信モジュールの機能を実行するハードウェアであってもよいし、或いは上記の機能を実現する対応するコンピュータ・プログラムを実行することが可能な汎用プロセッサ又は別のハードウェア・デバイスであってもよい。別の例に関し、送信ユニット704は、送信機のような送信モジュールの機能を実行するハードウェアであってもよいし、或いは上記の機能を実現する対応するコンピュータ・プログラムを実行することが可能な汎用プロセッサ又は別のハードウェア・デバイスであってもよい。更に別の例に関し、処理ユニット703は、プロセッサのような処理モジュールの機能を実行する独立したハードウェアであってもよいし、或いは上記の機能を実現する対応するコンピュータ・プログラムを実行することが可能な別のハードウェア・デバイスであってもよい。更に、検出ユニット701は、ディテクタのような検出モジュールの機能を実行する独立したハードウェアであってもよい。代替的に、検出ユニットは処理ユニット703に統合されてもよく、検出ユニットの機能は、プロセッサのような処理モジュールの機能を実行するハードウェアにより実現され、検出ユニット701は単独では配置されない。
【手続補正１０】
【補正対象書類名】図面
【補正対象項目名】図２
【補正方法】変更
【補正の内容】
【図２】
2019523587.tif 000014
【国際調査報告】
2019523587.tif 000015
2019523587.tif 000016
2019523587.tif 000017
2019523587.tif 000018
2019523587.tif 000019
2019523587.tif 000020